(57)【要約】  本発明は、動的なＴＤＤ再構成の指示情報を２つの制御フォーマットインジケータ（ＣＦＩ）値に符号化することによって、ＴＤＤ再構成を動的に移動局に示す方法に関し、各ＣＦＩ値は同じ無線フレーム内の異なるサブフレームにおいて送信される。移動局は、受信した２つのＣＦＩ値に基づいて、どのＴＤＤ構成がシステムにおいて適用されるかを求めることができる。したがって、無線フレームのＴＤＤアップリンク／ダウンリンク構成を、迅速かつ高い信頼性でトラフィックのニーズに動的に適合させることができる。【選択図】図２９
2015536591.tif 000002
【特許請求の範囲】
【請求項１】
通信システムにおいて時分割複信（ＴＤＤ）の構成を移動局に示す方法であって、前記ＴＤＤ構成が、無線フレームのアップリンクサブフレーム、ダウンリンクサブフレーム、および特殊サブフレームを定義し、
基地局によって、無線フレームｎの第１のサブフレームｉにおけるインジケータの第１の値を設定し、前記同じ無線フレームｎの第２のサブフレームｊにおける前記インジケータの第２の値を設定し、ＴＤＤ構成を符号化するステップと、
前記移動局によって、前記第１のサブフレームｉにおける前記インジケータの前記第１の値を求め、前記第２のサブフレームｊにおける前記インジケータの前記第２の値を求め、前記インジケータの前記求めた第１の値および第２の値に基づいて前記ＴＤＤ構成を求めるステップと、
を含んでいる、方法。
【請求項２】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、
前記ＴＤＤ構成が、前記第１のサブフレームｉおよび前記第２のサブフレームｊにおける前記ＣＦＩの値の少なくとも１つを値３に設定することによって符号化され、
無線フレームｎのそれぞれのサブフレームｉおよびｊにおける前記２つのＣＦＩの少なくとも一方が値３を有する場合、前記移動局が、前記２つのＣＦＩの前記求めた第１の値および第２の値に基づいて前記ＴＤＤ構成を求め、
無線フレームｎのそれぞれのサブフレーム１および６における前記２つのＣＦＩのいずれも値３を有さない場合、前記移動局が前記ＴＤＤ構成を求めずに、前記２つのＣＦＩの前記求めた第１の値および第２の値にそれぞれ基づいて、前記サブフレーム１および前記サブフレーム６における制御領域長を求める、
請求項１に記載の方法。
【請求項３】
３である前記第１のＣＦＩ値と３である前記第２のＣＦＩ値とに基づいて求められる前記ＴＤＤ構成が、前記通信システムにおいてＴＤＤ構成として使用される可能性が最も低いＴＤＤ構成である、
請求項２に記載の方法。
【請求項４】
前記移動局にデフォルトのＴＤＤ構成が設定されており、前記デフォルトのＴＤＤ構成が、ＴＤＤ構成インデックス０または６に関連付けられるＴＤＤ構成など、ダウンリンクサブフレームよりも無線フレームにおける大幅に多いアップリンクサブフレームを定義しており、
サブフレーム１および６におけるＣＦＩ値によって求められるＴＤＤ構成が、ＴＤＤ構成インデックス１，２，３，４，５に関連付けられるＴＤＤ構成など、少なくともアップリンクサブフレームと同じ数の、無線フレームにおけるダウンリンクサブフレームを定義しており、好ましくは、アップリンクサブフレームよりも多い、無線フレームにおけるダウンリンクサブフレームを定義しており、
好ましくは、前記デフォルトのＴＤＤ構成が、システム情報取得手順またはシステム情報変更手順を使用して前記移動局に伝えられるＴＤＤ構成である、
請求項２または請求項３に記載の方法。
【請求項５】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３，４のいずれかの値をとることができ、無線フレームのサブフレーム０〜９のうちｉ，ｊ∈｛０，１，２，３，４，５，６，７，８，９｝であり、
前記ＴＤＤ構成が、前記第１のサブフレームｉおよび前記第２のサブフレームｊにおける前記ＣＦＩの値の少なくとも１つを値３または値４に設定することによって符号化され、
無線フレームｎのそれぞれのサブフレームｉおよびｊにおける前記２つのＣＦＩのうちの少なくとも一方が値３または値４を有する場合、前記移動局が、前記２つのＣＦＩの前記求めた第１の値および第２の値に基づいて前記ＴＤＤ構成を求め、
無線フレームｎのそれぞれのサブフレーム１および６における前記２つのＣＦＩのいずれも値３または値４を有さない場合、前記移動局が、前記ＴＤＤ構成を求めずに、前記２つのＣＦＩの前記求めた第１の値および第２の値にそれぞれ基づいて、前記サブフレームｉおよび前記サブフレームｊにおける制御領域長を求める、
請求項１に記載の方法。
【請求項６】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、
前記ＴＤＤ構成が、前記第１のサブフレームｉおよび前記第２のサブフレームｊにおける前記ＣＦＩの値を値１または２の一方に設定することによって符号化され、
前記移動局が、前記ＣＦＩの前記求めた第１の値および第２の値に基づいて前記ＴＤＤ構成を求め、
前記移動局が、前記ＣＦＩの前記第１の値および前記第２の値にそれぞれ基づいて、前記サブフレームｉおよび前記サブフレームｊにおける前記制御領域長を求め、
好ましくは、それぞれ値１または値２を有する前記２つのＣＦＩ値に基づいて求められる前記ＴＤＤ構成のうち１つのＴＤＤ構成が、前記移動端末に設定されているデフォルトのＴＤＤ構成である、
請求項１に記載の方法。
【請求項７】
前記デフォルトのＴＤＤ構成が、ＴＤＤ構成インデックス０または６に関連付けられるＴＤＤ構成など、ダウンリンクサブフレームよりも大幅に多い、無線フレームにおけるアップリンクサブフレームを定義しており、
サブフレーム１および６における前記ＣＦＩ値によって求められる前記ＴＤＤ構成が、ＴＤＤ構成インデックス１，２，３，４，５に関連付けられるＴＤＤ構成など、少なくともアップリンクサブフレームと同じ数の、無線フレームにおけるダウンリンクサブフレームを定義しており、好ましくは、アップリンクサブフレームよりも多い、無線フレームにおけるダウンリンクサブフレームを定義している、
請求項６に記載の方法。
【請求項８】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、
前記ＴＤＤ構成が、前記第１のサブフレームｉおよび前記第２のサブフレームｊにおける前記ＣＦＩの値を、値１，２，３のうちの１つに設定することによって符号化され、
前記移動局が、無線フレームｎの前記第１のサブフレームｉおよび前記第２のサブフレームｊにおける前記制御領域長を、１）無線フレームｎの前記第１のサブフレームｉおよび前記第２のサブフレームｊそれぞれに設定されている所定の制御領域長、２）前記ＣＦＩ値が１または２であるとき、前記第１のサブフレームｉおよび前記第２のサブフレームｊそれぞれにおける前記ＣＦＩの値、または、３）それぞれのサブフレームｉ，ｊにおける物理ＨＡＲＱ（ハイブリッド自動再送要求）インジケータチャネル（ＰＨＩＣＨ）の長さ値、に基づいて、求め、
好ましくは、３である前記第１のＣＦＩ値と３である前記第２のＣＦＩ値とに基づいて求められる前記ＴＤＤ構成が、前記通信システムにおいてＴＤＤ構成として使用される可能性が最も低いＴＤＤ構成に関連付けられている、
請求項１に記載の方法。
【請求項９】
前記第１のサブフレームｉおよび前記第２のサブフレームｊそれぞれにおける前記インジケータの前記第１の値および前記第２の値と、前記ＴＤＤ構成との間の対応関係が、
無線フレームのサブフレーム０〜９のうちの少なくともサブフレーム０〜４が、前記第１のサブフレームｉにおける前記インジケータの前記求められた第１の値のみに基づいて、アップリンクサブフレーム、ダウンリンクサブフレーム、または特殊サブフレームのいずれかとして前記移動局によって求めることができる、および／または、
無線フレームのサブフレーム０〜９のうちの少なくともサブフレーム５〜７が、前記第２のサブフレームｊにおける前記インジケータの前記求められた第２の値のみに基づいて、アップリンクサブフレーム、ダウンリンクサブフレーム、または特殊サブフレームのいずれかとして前記移動局によって求めることができる、
ようになっている、
請求項１から請求項８のいずれかに記載の方法。
【請求項１０】
前記移動局にデフォルトのＴＤＤ構成が設定されており、
１）前記求められたＴＤＤ構成が、前記移動局によって無線フレームｎ＋ｍに適用され、ｍが整数でありかつｍ＞＝１である、または、
２）前記求められたＴＤＤ構成が、前記移動局によって無線フレームｎ＋１〜ｎ＋ｍにわたり適用され、ｍが整数でありかつｍ＞＝２であり、無線フレームｎ＋ｍ＋１の時点で前記デフォルトのＴＤＤ構成が前記移動局によって適用され、好ましくは、無線フレームｎ＋１〜ｎ＋ｍにおけるサブフレームｉ，ｊにおける前記インジケータの値が、前記デフォルトのＴＤＤ構成を符号化する、またはＴＤＤ構成を符号化しない、
請求項１から請求項９のいずれかに記載の方法。
【請求項１１】
ｍの値が、１）無線フレームｎの第３のサブフレームｋにおける前記インジケータの第３の値に基づいて前記移動局に示される、または、２）前記移動局においてあらかじめ設定される、
請求項１０に記載の方法。
【請求項１２】
無線フレームｎ−１において、無線フレームｎと同じＴＤＤ構成が、前記無線フレームｎ−１の第１のサブフレームｉおよび第２のサブフレームｊにおける前記インジケータの第１および前記第２の値を設定することによって符号化されているとき、前記求められたＴＤＤ構成が有効とみなされる、
請求項１から請求項１１のいずれかに記載の方法。
【請求項１３】
サブフレームｉおよびサブフレームｊの少なくとも一方が、無線フレームｎの他のサブフレームよりも少ない、ダウンリンクデータ用に利用可能なＯＦＤＭシンボルを有するサブフレームであり、好ましくは、無線フレームｎのサブフレーム０〜９のうちｉ＝１かつｊ＝６である、
請求項１から請求項１２のいずれかに記載の方法。
【請求項１４】
通信システムにおいて時分割複信（ＴＤＤ）の構成を処理する移動局であって、前記ＴＤＤ構成が、無線フレームのアップリンクサブフレーム、ダウンリンクサブフレーム、および特殊サブフレームを定義し、前記移動局が、
無線フレームｎの第１のサブフレームｉにおけるインジケータを受信し、かつ、前記同じ無線フレームｎの第２のサブフレームｊにおける前記インジケータを受信するようにされている受信セクションであって、前記無線フレームｎの前記第１のサブフレームｉにおける前記インジケータの第１の値と、前記同じ無線フレームｎの前記第２のサブフレームｊにおける前記インジケータの第２の値とが、ＴＤＤ構成を符号化している、前記受信セクションと、
前記第１のサブフレームｉにおける前記インジケータの第１の値と、前記第２のサブフレームｊにおける前記インジケータの第２の値を求めるようにされているプロセッサであって、前記インジケータの前記求めた第１の値および第２の値に基づいて前記ＴＤＤ構成を求めるようにさらにされている、前記プロセッサと、
を備えている、移動局。
【請求項１５】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、前記ＴＤＤ構成が、前記第１のサブフレームｉおよび前記第２のサブフレームｊにおける前記ＣＦＩの値のうちの少なくとも１つを値３に設定することによって符号化され、
前記プロセッサが、無線フレームｎの前記サブフレームｉおよび前記サブフレームｊにおける前記２つのＣＦＩの少なくとも一方が値３を有するかを判定するようにさらにされており、
無線フレームｎの前記サブフレームｉおよび前記サブフレームｊにおける前記２つのＣＦＩの少なくとも一方が値３を有する場合、前記プロセッサが、前記２つのＣＦＩの前記求めた第１の値および第２の値に基づいて前記ＴＤＤ構成を求め、
無線フレームｎの前記サブフレーム１および前記サブフレーム６における前記２つのＣＦＩのいずれも値３を有さない場合、前記プロセッサが、前記ＴＤＤ構成を求めずに、前記２つのＣＦＩの前記求めた第１の値および第２の値にそれぞれ基づいて、前記サブフレーム１および前記サブフレーム６における前記制御領域長を求める、
請求項１４に記載の移動局。
【請求項１６】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、前記ＴＤＤ構成が、前記第１のサブフレームｉおよび前記第２のサブフレームｊにおける前記ＣＦＩの値を値１または２の一方に設定することによって符号化され、
前記プロセッサが、前記ＣＦＩの求めた第１の値および第２の値に基づいて前記ＴＤＤ構成を求めるようにさらにされており、
前記プロセッサが、前記ＣＦＩの前記第１の値および前記第２の値にそれぞれ基づいて、前記サブフレームｉおよび前記サブフレームｊにおける前記制御領域長を求めるようにさらにされている、
請求項１４に記載の移動局。
【請求項１７】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、前記ＴＤＤ構成が、前記第１のサブフレームｉおよび前記第２のサブフレームｊにおける前記ＣＦＩの値を値１，２，３のうちの１つに設定することによって符号化され、
前記プロセッサが、無線フレームｎの前記第１のサブフレームｉおよび前記第２のサブフレームｊにおける前記制御領域長を、１）無線フレームｎの前記第１のサブフレームｉおよび前記第２のサブフレームｊに設定された所定の制御領域長、２）前記ＣＦＩ値が１または２であるとき、前記第１のサブフレームｉおよび前記第２のサブフレームｊのそれぞれにおける前記ＣＦＩの値、または、３）前記それぞれのサブフレームｉ，ｊにおける物理ＨＡＲＱ（ハイブリッド自動再送要求）インジケータチャネル（ＰＨＩＣＨ）の長さ値、に基づいて求めるようにさらにされている、
請求項１４に記載の移動局。
【請求項１８】
前記プロセッサが、無線フレームのサブフレーム０〜９のうちの少なくともサブフレーム０〜４を、前記第１のサブフレームｉにおける前記インジケータの前記求めた第１の値のみに基づいて、アップリンクサブフレーム、ダウンリンクサブフレーム、または特殊サブフレームのいずれかであると判定するようにされている、および／または、
前記プロセッサが、無線フレームのサブフレーム０〜９のうちの少なくともサブフレーム５〜７を、前記第２のサブフレームｊにおける前記インジケータの前記求めた第２の値のみに基づいて、アップリンクサブフレーム、ダウンリンクサブフレーム、または特殊サブフレームのいずれかであると判定するようにされている、
請求項１４から請求項１７のいずれかに記載の移動局。
【請求項１９】
前記移動局にデフォルトのＴＤＤ構成が設定されており、
１）前記プロセッサが、前記求めたＴＤＤ構成を無線フレームｎ＋ｍに適用するようにさらにされており、ｍが整数でありかつｍ＞＝１である、または、
２）前記プロセッサが、前記求めたＴＤＤ構成を無線フレームｎ＋１〜ｎ＋ｍにわたり適用するようにさらにされており、ｍが整数でありかつｍ＞＝２であり、前記プロセッサが、無線フレームｎ＋ｍ＋１の時点で前記デフォルトのＴＤＤ構成を適用するようにさらにされている、
請求項１４から請求項１７のいずれかに記載の移動局。
【請求項２０】
前記プロセッサが、無線フレームｎの第３のサブフレームｋにおける前記インジケータの第３の値を求め、前記第３のサブフレームｋにおける前記インジケータの前記求めた第３の値に基づいて、ｍの値を求めるようにされている、または、
前記プロセッサが、前記移動局におけるあらかじめ設定される値に基づいて、ｍの値を求めるようにされている、
請求項１９に記載の移動局。
【請求項２１】
前記プロセッサが、無線フレームｎ−１の前記ＴＤＤ構成を、無線フレームｎ−１の前記第１のサブフレームｉおよび前記第２のサブフレームｊにおける前記インジケータの第１の値および第２の値に基づいて求めるようにされており、
前記プロセッサが、前記無線フレームｎ−１から求めた前記ＴＤＤ構成が、前記無線フレームｎから求められる前記ＴＤＤ構成と同じであるときにのみ、前記無線フレームｎから求められる前記ＴＤＤ構成を適用するようにされている、
請求項１４から請求項２０のいずれかに記載の移動局。
【請求項２２】
通信システムにおいて時分割複信（ＴＤＤ）の構成を移動局に示す基地局であって、前記ＴＤＤ構成が、無線フレームのアップリンクサブフレーム、ダウンリンクサブフレーム、および特殊サブフレームを定義し、前記基地局が、
ＴＤＤ構成を決定するようにされているプロセッサと、
無線フレームｎの第１のサブフレームｉにおけるインジケータの第１の値を設定し、前記同じ無線フレームｎの第２のサブフレームｊにおける前記インジケータの第２の値を設定して、前記決定したＴＤＤ構成を符号化するようにされているプロセッサと、
前記第１のサブフレームｉにおける前記インジケータと前記第２のサブフレームｊにおける前記インジケータを含む前記無線フレームを前記移動局に送信するようにされている送信器と、
を備えている、基地局。
【請求項２３】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、
前記プロセッサが、前記決定したＴＤＤ構成を符号化するとき、前記第１のサブフレームｉおよび前記第２のサブフレームｊにおける前記ＣＦＩの値の少なくとも一方を値３に設定するようにされており、
前記プロセッサが、前記第１のサブフレームｉおよび前記第２のサブフレームｊそれぞれの制御チャネル領域長を決定するようにされており、
前記プロセッサが、前記第１のサブフレームｉおよび前記第２のサブフレームｊにおける前記ＣＦＩの値を、前記第１のサブフレームｉおよび前記第２のサブフレームｊそれぞれの前記決定した制御チャネル領域長に基づいて、１または２のいずれか一方に設定するようにさらにされている、
請求項２２に記載の基地局。
【請求項２４】
前記プロセッサが、３である前記第１のＣＦＩ値と３である前記第２のＣＦＩ値の前記ＴＤＤ構成を、前記基地局によってＴＤＤ構成として使用される可能性が最も低いＴＤＤ構成に関連付けるようにされている、
請求項２３に記載の基地局。
【請求項２５】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、
前記プロセッサが、前記第１のサブフレームｉおよび前記第２のサブフレームｊにおける前記ＣＦＩの値を、値１または２の一方に設定して、前記決定したＴＤＤ構成を符号化するようにされており、
前記プロセッサおよび送信器が、前記ＣＦＩの前記第１の値および前記第２の値それぞれに基づいて前記サブフレームｉおよび前記サブフレームｊにおける制御チャネルを送信するようにされている、
請求項２２に記載の基地局。
【請求項２６】
前記インジケータが、ダウンリンクサブフレームまたは特殊サブフレームにおける制御領域長をＯＦＤＭシンボルを単位として示すために前記ダウンリンクサブフレームまたは前記特殊サブフレームにおいて使用されるように意図されている制御フォーマットインジケータ（ＣＦＩ）であり、前記ＣＦＩが、１，２，３のいずれかの値をとることができ、無線フレームのサブフレーム０〜９のうちｉ＝１かつｊ＝６であり、
前記プロセッサが、前記第１のサブフレームｉおよび前記第２のサブフレームｊにおける前記ＣＦＩの値を、値１，２，３のうちの１つに設定して、前記決定したＴＤＤ構成を符号化するようにされており、
前記プロセッサおよび送信器が、前記サブフレームｉおよび前記サブフレームｊにおける制御チャネルを、１）無線フレームｎの前記第１のサブフレームｉおよび前記第２のサブフレームｊそれぞれに設定されている所定の制御領域長、２）前記ＣＦＩ値が１または２であるとき、前記第１のサブフレームｉおよび前記第２のサブフレームｊそれぞれにおける前記ＣＦＩの値、または、３）それぞれのサブフレームｉ，ｊにおける物理ＨＡＲＱ（ハイブリッド自動再送要求）インジケータチャネル（ＰＨＩＣＨ）の長さ値、に基づいて送信するようにされている、
請求項２２に記載の基地局。
【請求項２７】
前記移動局にデフォルトのＴＤＤ構成が設定されており、
１）前記プロセッサが、前記求めたＴＤＤ構成を無線フレームｎ＋ｍに適用するようにされており、ｍが整数でありかつｍ＞＝１である、または、
２）前記プロセッサが、前記求めたＴＤＤ構成を無線フレームｎ＋１〜ｎ＋ｍにわたり適用するようにされており、ｍが整数でありかつｍ＞＝２であり、前記プロセッサが、無線フレームｎ＋ｍ＋１の時点で前記デフォルトのＴＤＤ構成を適用するようにされている、
請求項２２から請求項２６のいずれかに記載の基地局。
【請求項２８】
前記プロセッサが、前記値ｍを決定するようにさらにされており、前記プロセッサが、前記決定したｍの値を、無線フレームｎの第３のサブフレームｋにおける前記インジケータの第３の値に符号化するようにされている、
請求項２７に記載の基地局。
【発明の詳細な説明】
【技術分野】
【０００１】
本発明は、移動局の時分割複信のアップリンク／ダウンリンク構成を示す方法に関する。さらに、本発明は、本明細書に記載されている方法を実行する移動局および基地局を提供する。
【背景技術】
【０００２】
ロングタームエボリューション（ＬＴＥ）
【０００３】
ＷＣＤＭＡ（登録商標）無線アクセス技術をベースとする第３世代の移動通信システム（３Ｇ）は、世界中で広範な規模で配備されつつある。この技術を機能強化または発展・進化させる上での最初のステップとして、高速ダウンリンクパケットアクセス（ＨＳＤＰＡ）と、エンハンストアップリンク（高速アップリンクパケットアクセス（ＨＳＵＰＡ）とも称する）とが導入され、これにより、極めて競争力の高い無線アクセス技術が提供されている。
【０００４】
ユーザからのますます増大する需要に対応し、新しい無線アクセス技術に対する競争力を確保する目的で、３ＧＰＰは、ロングタームエボリューション（ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。
【０００５】
ＬＴＥ（ロングタームエボリューション）に関する作業項目（ＷＩ）の仕様は、Ｅ−ＵＴＲＡ（Evolved UMTS Terrestrial Radio Access（ＵＴＲＡ）：進化したＵＭＴＳ地上無線アクセス）およびＥ−ＵＴＲＡＮ（Evolved UMTS Terrestrial Radio Access Network（ＵＴＲＡＮ）：進化したＵＭＴＳ地上無線アクセスネットワーク）と称され、最終的にリリース８（ＬＴＥリリース８）として公開される。ＬＴＥシステムは、パケットベースの効率的な無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、スケーラブルな複数の送信帯域幅（例えば、１.４ＭＨｚ、３.０ＭＨｚ、５.０ＭＨｚ、１０.０ＭＨｚ、１５.０ＭＨｚ、および２０.０ＭＨｚ）が指定されている。ダウンリンクには、ＯＦＤＭ（Orthogonal Frequency Division Multiplexing：直交周波数分割多重）をベースとする無線アクセスが採用されている。なぜなら、かかる無線アクセスは、低いシンボルレートのため本質的にマルチパス干渉（ＭＰＩ）を受けにくく、また、サイクリックプレフィックス（ＣＰ）を使用しており、さらに、さまざまな送信帯域幅の構成に対応可能だからである。アップリンクには、ＳＣ−ＦＤＭＡ（Single-Carrier Frequency Division Multiple Access：シングルキャリア周波数分割多元接続）をベースとする無線アクセスが採用されている。なぜなら、ユーザ機器（ＵＥ）の送信出力が限られていることを考えれば、ピークデータレートを向上させるよりも広いカバレッジエリアを提供することが優先されるからである。ＬＴＥリリース８／９では、数多くの主要なパケット無線アクセス技術（例えば、ＭＩＭＯ（多入力多出力）チャネル伝送技術）が採用され、高効率の制御シグナリング構造が達成されている。
【０００６】
ＬＴＥのアーキテクチャ
【０００７】
図１は、ＬＴＥの全体的なアーキテクチャを示し、図２は、Ｅ−ＵＴＲＡＮのアーキテクチャをより詳細に示している。Ｅ−ＵＴＲＡＮは、ｅＮｏｄｅＢから構成され、ｅＮｏｄｅＢは、ＵＥ向けの、Ｅ−ＵＴＲＡのユーザプレーン（ＰＤＣＰ／ＲＬＣ／ＭＡＣ／ＰＨＹ）および制御プレーン（ＲＲＣ）のプロトコルを終端処理する。ｅＮｏｄｅＢ（ｅＮＢ）は、物理（ＰＨＹ）レイヤ、メディアアクセス制御（ＭＡＣ）レイヤ、無線リンク制御（ＲＬＣ）レイヤ、およびパケットデータ制御プロトコル（ＰＤＣＰ）レイヤ（これらのレイヤはユーザプレーンのヘッダ圧縮および暗号化の機能を含む）をホストする。ｅＮＢは、制御プレーンに対応する無線リソース制御（ＲＲＣ）機能も提供する。ｅＮＢは、無線リソース管理、アドミッション制御、スケジューリング、交渉によるアップリンクＱｏＳ（サービス品質）の実施、セル情報のブロードキャスト、ユーザプレーンデータおよび制御プレーンデータの暗号化／復号化、ダウンリンク／アップリンクのユーザプレーンパケットヘッダの圧縮／復元など、多くの機能を実行する。複数のｅＮｏｄｅＢは、Ｘ２インタフェースによって互いに接続されている。
【０００８】
また、複数のｅＮｏｄｅＢは、Ｓ１インタフェースによってＥＰＣ（Evolved Packet Core：進化したパケットコア）、より具体的には、Ｓ１−ＭＭＥによってＭＭＥ（Mobility Management Entity：移動管理エンティティ）、Ｓ１−Ｕによってサービングゲートウェイ（ＳＧＷ：Serving Gateway）に接続されている。Ｓ１インタフェースは、ＭＭＥ／サービングゲートウェイとｅＮｏｄｅＢとの間の多対多関係をサポートする。ＳＧＷは、ユーザデータパケットをルーティングして転送する一方で、ｅＮｏｄｅＢ間のハンドオーバー時におけるユーザプレーンのモビリティアンカーとして機能し、さらに、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えばＩＰベアラサービスのパラメータ、ネットワーク内部ルーティング情報）を管理および格納する。さらに、ＳＧＷは、合法傍受（lawful interception）の場合にユーザトラフィックの複製を実行する。
【０００９】
ＭＭＥは、ＬＴＥのアクセスネットワークの主要な制御ノードである。ＭＭＥは、アイドルモードのユーザ機器の追跡およびページング手順（再送信を含む）の役割を担う。ＭＭＥは、ベアラの有効化／無効化プロセスに関与し、さらには、最初のアタッチ時と、コアネットワーク（ＣＮ）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス層（ＮＡＳ：Non-Access Stratum）シグナリングはＭＭＥにおいて終端され、ＭＭＥは、一時的なＩＤを生成してユーザ機器に割り当てる役割も担う。ＭＭＥは、サービスプロバイダの公衆陸上移動網（ＰＬＭＮ：Public Land Mobile Network）に入るためのユーザ機器の認証をチェックし、ユーザ機器のローミング制約を実施する。ＭＭＥは、ＮＡＳシグナリングの暗号化／整合性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするユーザ機器のためのホームＨＳＳに向かうＳ６ａインタフェースを終端させる。
【００１０】
ＬＴＥ（リリース８）におけるコンポーネントキャリアの構造
【００１１】
３ＧＰＰ  ＬＴＥ（リリース８）のダウンリンクコンポーネントキャリアは、時間−周波数領域において、いわゆるサブフレームに分割されている。３ＧＰＰ  ＬＴＥ（リリース８）では、図３に示したように、各サブフレームが２つのダウンリンクスロットに分割されており、第１のダウンリンクスロットは、最初のいくつかのＯＦＤＭシンボルにおける制御チャネル領域（ＰＤＣＣＨ領域）を含んでいる。各サブフレームは、時間領域における特定の数のＯＦＤＭシンボルからなり（３ＧＰＰ  ＬＴＥ（リリース８）では１２個または１４個のＯＦＤＭシンボル）、ＯＦＤＭシンボルそれぞれが、コンポーネントキャリアの帯域幅全体を範囲としている。したがって、ＯＦＤＭシンボルそれぞれは、図４にも示したように、ＮＤＬＲＢ×ＮＲＢｓｃ個のそれぞれのサブキャリア上で送信される複数の変調シンボルからなる。
【００１２】
例えば、３ＧＰＰ  ＬＴＥ（ロングタームエボリューション）において使用される、例えばＯＦＤＭを採用するマルチキャリア通信システムを考えると、スケジューラによって割り当てることのできるリソースの最小単位は、１つの「リソースブロック」である。物理リソースブロック（ＰＲＢ）は、図４に例示的に示したように、時間領域におけるＮＤＬｓｙｍｂ個の連続するＯＦＤＭシンボル（例：７個のＯＦＤＭシンボル）と、周波数領域におけるＮＲＢｓｃ個の連続するサブキャリアとして定義される（例：コンポーネントキャリアの１２のサブキャリア）。したがって、３ＧＰＰ  ＬＴＥ（リリース８）においては、物理リソースブロックは、ＮＤＬｓｙｍｂ×ＮＲＢｓｃ個のリソース要素からなり、時間領域における１スロットと、周波数領域における１８０ｋＨｚに対応する（ダウンリンクリソースグリッドに関するさらなる詳細については、例えば非特許文献１の６.２節を参照）（３ＧＰＰのウェブサイトにおいて入手可能であり、参照によって本明細書に組み込まれている）。
【００１３】
１つのサブフレームは２つのスロットからなり、したがって、いわゆる「通常の」ＣＰ（サイクリックプレフィックス）が使用されているときにはサブフレームに１４個のＯＦＤＭシンボルが存在し、いわゆる「拡張」ＣＰが使用されているときにはサブフレームに１２個のＯＦＤＭシンボルが存在する。専門用語として、以下では、サブフレーム全体にわたる、同一のＮＲＢｓｃ個の連続するサブキャリアに等しい時間−周波数リソースを、「リソースブロックペア」、または同じ意味で「ＲＢペア」または「ＰＲＢペア」と称する。
【００１４】
用語「コンポーネントキャリア」は、周波数領域におけるいくつかのリソースブロックの組合せを意味する。ＬＴＥの将来のリリースにおいて、「コンポーネントキャリア」という用語はもはや使用されない。代わりに、この用語は「セル」に変更される。「セル」は、ダウンリンクリソースおよび任意でアップリンクリソースの組合せを意味する。ダウンリンクリソースのキャリア周波数とアップリンクリソースのキャリア周波数との連結（linking）は、ダウンリンクリソースで送信されるシステム情報に示される。
【００１５】
コンポーネントキャリアの構造の同様の想定は、以降のリリースにも適用される。
【００１６】
論理チャネルおよびトランスポートチャネル
【００１７】
ＭＡＣ層は、論理チャネルを通じてＲＬＣ層にデータ伝送サービスを提供する。論理チャネルは、ＲＲＣシグナリングなどの制御データを伝える制御論理チャネルか、ユーザプレーンデータを伝えるトラフィック論理チャネルのいずれかである。ブロードキャスト制御チャネル（ＢＣＣＨ）、ページング制御チャネル（ＰＣＣＨ）、共通制御チャネル（ＣＣＣＨ）、マルチキャスト制御チャネル（ＭＣＣＨ）、および専用制御チャネル（ＤＣＣＨ）は、制御論理チャネルである。専用トラフィックチャネル（ＤＴＣＨ）およびマルチキャストトラフィックチャネル（ＭＴＣＨ）は、トラフィック論理チャネルである。
【００１８】
ＭＡＣ層からのデータは、トランスポートチャネルを通じて物理層と交換される。データは、無線送信方式に応じてトランスポートチャネルに多重化される。トランスポートチャネルは、次のようにダウンリンクまたはアップリンクとして分類される。ブロードキャストチャネル（ＢＣＨ）、ダウンリンク共有チャネル（ＤＬ−ＳＣＨ）、ページングチャネル（ＰＣＨ）、およびマルチキャストチャネル（ＭＣＨ）は、ダウンリンクトランスポートチャネルであるのに対して、アップリンク共有チャネル（ＵＬ−ＳＣＨ）およびランダムアクセスチャネル（ＲＡＣＨ）は、アップリンクトランスポートチャネルである。
【００１９】
ダウンリンクおよびアップリンクそれぞれにおいて、論理チャネルとトランスポートチャネルの間で多重化が実行される。
【００２０】
第１層／第２層（Ｌ１／Ｌ２）制御シグナリング
【００２１】
スケジューリング対象のユーザに、ユーザの割当てステータス、トランスポートフォーマット、およびその他のデータ関連情報（例：ＨＡＲＱ情報、送信電力制御（ＴＰＣ）コマンド）を知らせる目的で、第１層／第２層制御シグナリングがデータと一緒にダウンリンクで送信される。第１層／第２層制御シグナリングは、サブフレーム内でダウンリンクデータと一緒に多重化される（ユーザ割当てがサブフレーム単位で変化しうるものと想定する）。なお、ユーザ割当てをＴＴＩ（送信時間間隔）ベースで実行することもでき、その場合、ＴＴＩ長はサブフレームの倍数であることに留意されたい。ＴＴＩ長は、サービスエリアにおいてすべてのユーザに対して一定とする、ユーザ毎に異なる、あるいはユーザ毎に動的とすることもできる。第１層／第２層制御シグナリングは、一般的にはＴＴＩあたり１回送信するのみでよい。一般性を失うことなく、以下では、ＴＴＩが１サブフレームに等しいものと想定する。
【００２２】
第１層／第２層制御シグナリングは、物理ダウンリンク制御チャネル（ＰＤＣＣＨ）で送信される。ＰＤＣＣＨは、ダウンリンク制御情報（ＤＣＩ）としてメッセージを伝え、このメッセージには、移動端末またはユーザ機器のグループのリソース割当て情報およびその他の制御情報が含まれる。一般的には、いくつかのＰＤＣＣＨを１つのサブフレーム内で送信することができる。
【００２３】
なお、３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。
【００２４】
スケジューリンググラントに関して、第１層／第２層制御シグナリングで送られる情報は、次の２つのカテゴリ、すなわち、カテゴリ１の情報を伝える共有制御情報（ＳＣＩ：Shared Control Information）と、カテゴリ２／３の情報を伝えるダウンリンク制御情報（ＤＣＩ：Downlink Control Information）に分けることができる。ＤＣＩフォーマットと、ＤＣＩにおいて送信される具体的な情報に関するさらなる詳細については、技術規格、または非特許文献２（参照によって本明細書に組み込まれている）の９.３章を参照されたい。ＬＴＥにおいて現在定義されている異なるＤＣＩフォーマットは、以下のとおりであり、非特許文献３の５.３.３.１節に詳しく記載されている（この文書は、３ＧＰＰのウェブサイトにおいて入手可能であり、参照によって本明細書に組み込まれている）。
【００２５】
物理ダウンリンク制御チャネル（ＰＤＣＣＨ）と物理ダウンリンク共有チャネル（ＰＤＳＣＨ）
【００２６】
物理ダウンリンク制御チャネル（ＰＤＣＣＨ）は、例えば、ダウンリンクまたはアップリンクでデータを送信するためのリソースを割り当てるスケジューリンググラントを伝える。
【００２７】
各ＰＤＣＣＨは、１つまたは複数のいわゆる制御チャネル要素（ＣＣＥ）を使用して送信される。各ＣＣＥは、一連のリソース要素（ＲＥ）に対応する。３ＧＰＰ  ＬＴＥにおいては、現在、１つのＣＣＥは９つのリソース要素グループ（ＲＥＧ）からなり、１個のＲＥＧは、基準信号のリソース要素を除く４つの連続するリソース要素（周波数領域において連続する）からなる。基準信号によって占有されるリソース要素は、ＲＥＧには含まれず、すなわち、１個のＯＦＤＭシンボルにおけるＲＥＧの総数は、基準信号が存在するか否かに依存する。
【００２８】
ユーザ機器へのＰＤＣＣＨは、サブフレームの中の最初のＮＰＤＣＣＨｓｙｍｂ個のＯＦＤＭシンボル（通常では１個、２個、または３個のＯＦＤＭシンボル（ＰＣＦＩＣＨによって示される）、例外的なケースでは２個、３個、または４個のＯＦＤＭシンボル（ＰＣＦＩＣＨによって示される））で送信され、ＯＦＤＭシンボルはシステム帯域幅全体にわたり延びている。システム帯域幅は、一般にはセルまたはコンポーネントキャリアの範囲に等しい。時間領域における最初のＮＰＤＣＣＨｓｙｍｂ個のＯＦＤＭシンボルと、周波数領域におけるＮＤＬＲＢ×ＮＲＢｓｃ本のサブキャリアとによって占有される領域は、ＰＤＣＣＨ領域または制御チャネル領域とも称される。周波数領域におけるＮＤＬＲＢ×ＮＲＢｓｃ本のサブキャリアにわたる、時間領域における残りのＮＰＤＳＣＨｓｙｍｂ＝２＊ＮＤＬｓｙｍｂ−ＮＰＤＣＣＨｓｙｍｂ個のＯＦＤＭシンボルは、ＰＤＳＣＨ領域または共有チャネル領域と称される（後述する）。
【００２９】
物理ダウンリンク共有チャネル（ＰＤＳＣＨ）に関するダウンリンクグラントにおいて、ＰＤＣＣＨは、同じサブフレーム内の（ユーザ）データのためのＰＤＳＣＨリソースを割り当てる。サブフレーム内のＰＤＣＣＨ制御チャネル領域は、一連のＣＣＥからなり、サブフレームの制御領域におけるＣＣＥの総数は、時間−周波数制御リソース全体にわたり分散している。制御チャネルの符号化率を効果的に低減するため、複数のＣＣＥを組み合わせることができる。ＣＣＥは、さまざまな符号化率を達成するためツリー構造を使用する所定の方法において組み合わされる。
【００３０】
３ＧＰＰ  ＬＴＥにおいては、ＰＤＣＣＨは、１個、２個、４個、または８個のＣＣＥをアグリゲートすることができる。制御チャネルの割当てに利用可能なＣＣＥの数は、キャリアの帯域幅、送信アンテナの数、制御に使用されるＯＦＤＭシンボルの数、ＣＣＥのサイズなど、いくつかの要因の関数である。サブフレームにおいて複数のＰＤＣＣＨを送信することができる。
【００３１】
トランスポートチャネルのレベルにおいては、ＰＤＣＣＨを介して送信される情報は、第１層／第２層（L1/L2）制御シグナリングとも称される。第１層／第２層制御シグナリングは、各ユーザ機器（ＵＥ）を対象にダウンリンクで送信される。制御シグナリングは、一般にはサブフレーム内でダウンリンク（ユーザ）データと多重化される（ユーザ割当てがサブフレーム単位で変化しうるものと想定する）。
【００３２】
１つのサブフレーム内のＯＦＤＭシンボルのうちＰＤＣＣＨによって占有されていない残りのＯＦＤＭシンボルには、物理ダウンリンク共有チャネル（ＰＤＳＣＨ）がマッピングされる。ＰＤＳＣＨリソースは、各サブフレームにおいてリソースブロック単位でユーザ機器に割り当てられる。
【００３３】
図５は、通常のサブフレーム（時間領域において２＊ＮＤＬｓｙｍｂ＝１４個のＯＦＤＭシンボルを有する）、すなわちリソースブロックペア内でのＰＤＣＣＨおよびＰＤＳＣＨの例示的なマッピングを示している（拡大図を参照）。この例示的なケースにおいては、最初のＮＰＤＣＣＨｓｙｍｂ＝２個のＯＦＤＭシンボル（制御チャネル領域）が、第１層／第２層制御シグナリングに（すなわちＰＤＣＣＨ、ＰＨＩＣＨ、ＰＣＦＩＣＨをシグナリングする目的に）使用され、残りのＮＰＤＳＣＨｓｙｍｂ＝１２個のＯＦＤＭシンボル（ＰＤＳＣＨ領域）が、データに使用される。
【００３４】
（ブロードキャスト）システム情報の構造
【００３５】
３ＧＰＰの専門用語においては、（ブロードキャスト）システム情報は、ＢＣＣＨ情報とも称され、すなわち、ユーザ機器が接続されている（アクティブ状態）またはアタッチされている（アイドル状態）無線セルのブロードキャスト制御チャネル（論理チャネルである）で伝えられる情報を意味する。
【００３６】
一般的に、システム情報には、マスター情報ブロック（ＭＩＢ）と、いくつかのシステム情報ブロック（ＳＩＢ）とが含まれる。ＭＩＢには、各システム情報ブロックに関する制御情報が含まれる。それぞれのＳＩＢに関連付けられる制御情報は、次の構造を有することができる。すなわち、ＳＩＢに関連付けられるそれぞれの制御情報は、ＳＩＢが送信されるトランスポートチャネル上での、共通のタイミング基準に対するＳＩＢの位置を示すことができる（例えば、ＯＦＤＭ無線アクセスの時間−周波数平面における位置、すなわちそれぞれのＳＩＢの送信用に割り当てられている特定のリソースブロック）。さらには、ＳＩＢの反復周期を示すことができる。この反復周期は、各ＳＩＢが送信される周期を示す。さらに、制御情報は、ＳＩＢ情報のタイマーベースの更新メカニズムのタイマー値、あるいは、ＳＩＢ情報のタグベースの更新の場合の値タグを含むこともできる。
【００３７】
次の表は、非特許文献４（３ＧＰＰのウェブサイトにおいて入手可能であり、参照によって本明細書に組み込まれている）の８.１.１節に定義されている、ＵＭＴＳレガシーシステムにおけるシステム情報ブロックの分類およびタイプの概要を示している。システムブロードキャスト情報は、内容と、表の第３列に示した時間的変動性とに基づいて、異なるＳＩＢに分類される。
【００３８】
【表１】
2015536591.tif 000003
【００３９】
物理制御フォーマットインジケータチャネル：ＰＣＦＩＣＨ
【００４０】
ＬＴＥには、３つのダウンリンク物理制御チャネルとして、物理制御フォーマットインジケータチャネル（ＰＣＦＩＣＨ）、物理ＨＡＲＱインジケータチャネル（ＰＨＩＣＨ）、およびＰＤＣＣＨが用意されている。一般的に、ダウンリンク制御チャネルは、サブフレームにおける最初の１個、２個、または３個のＯＦＤＭシンボルを占有するように設定することができる。ただし２つの特殊な場合が存在し、ＭＢＳＦＮ（マルチメディアブロードキャスト単一周波数ネットワーク）送信を含むサブフレームにおいては、制御シグナリングのためのＯＦＤＭシンボルの数を０個、１個、または２個とすることができるのに対して、狭いシステム帯域（１０ＲＢ未満）の場合、制御シンボルの数が増えて、十分な制御チャネル容量およびセル境界部におけるカバレッジを確保するため２個、３個、または４個とすることができる。この柔軟性により、特定のシステム構成、トラフィック状況、およびチャネル条件に従って、制御チャネルのオーバーヘッドを調整することができる。
【００４１】
上に関連して、非特許文献５の表７.７−１からの次の表は、ＰＤＣＣＨに使用されるＯＦＤＭシンボルの数の概要を示している。
【００４２】
【表２】
2015536591.tif 000004
【００４３】
システム帯域幅ＮＤＬＲＢ＞１０の場合、ＯＦＤＭシンボルを単位とするＰＤＣＣＨの時間幅（１，２，または３）は、ＣＦＩによって直接与えられる。システム帯域幅ＮＤＬＲＢ≦１０の場合、ＯＦＤＭシンボルを単位とするＰＤＣＣＨの時間幅（２，３，または４）は、ＣＦＩに１を加える（ＣＦＩ＋１）ことによって与えられる。非特許文献６の５.３.４章には、ＣＦＩが定義されており、この文書は参照によって本明細書に組み込まれている。
【００４４】
サブフレーム１および６においては、ＰＨＩＣＨの長さは、ＯＦＤＭシンボルの数として、通常（１個）または拡張（２個）のいずれかとして設定される。非特許文献５の表６.９.３−１には、ＰＨＩＣＨ持続時間のさらに詳しい定義が記載されている。ＰＨＩＣＨ持続時間は、次の表に従って上位層によって設定可能である。
【００４５】
【表３】
2015536591.tif 000005
【００４６】
したがって、（ＰＣＦＩＣＨによってシグナリングされる）各サブフレームの先頭における制御チャネル領域のサイズに関して、ＰＨＩＣＨによって下限が課される。ＰＨＩＣＨは、ＰＵＳＣＨでの送信をｅＮｏｄｅＢが正しく受信したかを示すＨＡＲＱ  ＡＣＫ／ＮＡＣＫを伝える。この情報は、３個のＢＰＳＫシンボルそれぞれにおいて反復される。ＰＨＩＣＨに関するさらなる詳細については、非特許文献７の９.３.４章に記載されており、この文書は参照によって本明細書に組み込まれている。
【００４７】
ＰＣＦＩＣＨは、ユーザ機器への各ダウンリンクサブフレームにおける制御チャネル情報の送信に使用されるＯＦＤＭシンボルの数を示す制御フォーマットインジケータ（ＣＦＩ）を伝える。原理的には、ユーザ機器は、ＰＣＦＩＣＨなどのチャネルがなくても、ＣＦＩの値を推測することができ、すなわち、可能なシンボルの数それぞれを想定して制御チャネルの復号化を何度か試みることによって、推測できる。しかしながら、この方式では、大きな追加の処理負荷が生じる。ＬＴＥにおいては、前に概説したように、３種類のＣＦＩ値が使用される。
【００４８】
ＣＦＩを十分に堅牢にする目的で、各ＣＦＩ値は、ＱＰＳＫ変調を使用して１６個のリソース要素（ＲＥ）にマッピングされた３２ビット長の符号語に符号化される（図７を参照）。これらの１６個のリソース要素は、４個ずつのグループ（リソース要素グループ（ＲＥＧ）として公知である）に編成されている。ＲＳ（基準信号）によって占有されるリソース要素はＲＥＧには含まれず、すなわち、特定のＯＦＤＭシンボル内のＲＥＧの総数は、セルに固有なＲＳが存在するか否かに依存する。ＲＥＧのコンセプトは、他のダウンリンク制御チャネル（ＰＨＩＣＨおよびＰＤＣＣＨ）にも使用される。
【００４９】
ＰＣＦＩＣＨは、ＰＢＣＨ（物理ブロードキャストチャネル）と同じアンテナポートのセットにおいて送信され、２つ以上のアンテナポートが使用される場合、送信ダイバーシチが適用される。
【００５０】
したがって、次の表および図８に示したように、対応する３２ビットの符号語を使用して、４つの値１〜４に対して、ＣＦＩ値−符号語のマッピングが定義される。値４および符号語４は予約されており、なぜなら、最大で３つの異なる長さの所望の情報をシグナリングするのに最初の３つの値で十分であるためである。
【００５１】
【表４】
2015536591.tif 000006
【００５２】
周波数ダイバーシチを達成する目的で、ＰＣＦＩＣＨを伝えるＲＥＧは、周波数領域内で分散される。これは、図６に示したように、各ダウンリンクサブフレームにおける最初のＯＦＤＭシンボルにおける事前定義されたパターンに従って行われ、したがって、ユーザ機器は、ＰＣＦＩＣＨ情報（残りの制御シグナリングを復号化できるための要件である）をつねに特定することができる。ＣＦＩは、アップリンクサブフレームにおいては利用できない。
【００５３】
隣接セルからのＰＣＦＩＣＨ情報と混同する可能性を最小にするため、ＰＣＦＩＣＨのリソース要素の位置には、セルに固有な周波数オフセットが適用される。このオフセットは、一次同期信号（ＰＳＳ）および二次同期信号（ＳＳＳ）から推測される物理セルＩＤ（ＰＣＩ）に依存する。さらに、セルに固有なスクランブリングシーケンス（これもＰＣＩの関数である）がＣＦＩ符号語に適用され、したがって、ユーザ機器は所望のセルからのＰＣＦＩＣＨを選択的に受信することができる。
【００５４】
上の説明内容のほとんどは、非特許文献７の９.３.２章および９.３.３章に記載されている。非特許文献５の６.７章には、リリース１１によるＰＣＦＩＣＨ、そのスクランブリング、変調などが定義されており、この文書は参照によって本明細書に組み込まれている。
【００５５】
時分割複信：ＴＤＤ
【００５６】
ＬＴＥは、ＴＤ−ＳＣＤＭＡ（時分割同期符号分割多重アクセス）の進化もサポートするように設計されている統一フレームワーク（harmonized framework）における周波数分割複信（ＦＤＤ）モードおよび時分割複信（ＴＤＤ）モードで動作することができる。ＴＤＤでは、時間領域においてアップリンク送信とダウンリンク送信が分離されるが、周波数は同じままである。
【００５７】
用語「複信」は、２つの装置の間の双方向通信を意味し、一方向通信と区別される。双方向の場合、各方向におけるリンクを通じての送信を、同時に（全二重）または交替して（半二重）行うことができる。
【００５８】
非ペア無線スペクトル（unpaired radio spectrum）におけるＴＤＤの場合、リソースブロックおよびリソース要素の基本的な構造は図４に示してあるが、無線フレームのサブフレームのサブセットのみがダウンリンク送信に利用可能である。残りのサブフレームは、アップリンク送信に使用される、または、ダウンリンク送信とアップリンク送信の間での切り替えを可能にするガード期間を含む特殊サブフレームに使用される。ガード期間によって、アップリンク送信タイミングを進めることができる。３ＧＰＰ  ＬＴＥリリース８以降においては、このＴＤＤ構造は「フレーム構造タイプ２」として公知であり、７つの異なる構成が定義されており、これらの構成により、さまざまなダウンリンク−アップリンク比率および切り替え周期が可能である。図９は、７つの異なるＴＤＤアップリンク−ダウンリンク構成（番号：０〜６）の表を示している。表から理解できるように、７つの利用可能なＴＤＤアップリンク−ダウンリンク構成は、ダウンリンクサブフレームの４０％〜９０％を提供することができる。
【００５９】
図１０は、特に、５ｍｓの切替え点周期性（すなわちＴＤＤ構成０，１，２，６）の場合のフレーム構造タイプ２を示している。
【００６０】
図１０は、長さ１０ｍｓである無線フレームと、それぞれ５ｍｓの対応する２つのハーフフレームとを示している。無線フレームは、１ｍｓの１０個のサブフレームから構成されており、サブフレームそれぞれには、図９の表に定義されているように、アップリンク、ダウンリンク、または特殊の各タイプが割り当てられており、図９では、「Ｄ」がダウンリンクを意味し、「Ｕ」がアップリンクを意味し、「Ｓ」が特殊を意味する。
【００６１】
図９から理解できるように、サブフレーム＃１はつねに特殊サブフレームであり、サブフレーム＃６は、ＴＤＤ構成０，１，２，６の場合には特殊サブフレームであり、ＴＤＤ構成３，４，５の場合にはダウンリンクサブフレームである。特殊サブフレームは、３つのフィールドとして、ＤｗＰＴＳ（ダウンリンクパイロットタイムスロット）、ＧＰ（ガード期間）、およびＵｐＰＴＳ（アップリンクパイロットタイムスロット）を含む。次の表は、特殊サブフレームに関する情報を示しており、特に、３ＧＰＰ  ＬＴＥリリース１１において定義されている、ＤｗＰＴＳ（ダウンリンクパイロットタイムスロット）、ＧＰ（ガード期間）、およびＵｐＰＴＳ（アップリンクパイロットタイムスロット）それぞれの長さを示してある。
【００６２】
【表５】
2015536591.tif 000007
【００６３】
システムにおいて適用されるＴＤＤ構成は、移動局および基地局において実行される数多くの動作、例えば、無線リソース管理（ＲＲＭ）測定、チャネル状態情報（ＣＳＩ）測定、チャネル推定、ＰＤＣＣＨ検出、ＨＡＲＱタイミングなどに影響する。
【００６４】
特に、ユーザ機器は、システム情報を読み取ることで、自身の現在のセルにおけるＴＤＤ構成に関して認識し、すなわち、測定用に監視するサブフレーム、ＣＳＩの測定および報告のために監視するサブフレーム、チャネル推定を取得するための時間領域フィルタリングのために監視するサブフレーム、ＰＤＣＣＨの検出のために監視するサブフレーム、またはＵＬ／ＤＬ  ＡＣＫ／ＮＡＣＫフィードバックのために監視するサブフレームを認識する。
【００６５】
現在の半静的なＴＤＤアップリンク／ダウンリンク構成方式の欠点
【００６６】
現在、ＬＴＥ  ＴＤＤでは、７つの異なる半静的に設定されるアップリンク−ダウンリンク構成を提供することによって、非対称的なＵＬ−ＤＬ割当てが可能である。ＵＬ−ＤＬ割当てを適合させるための現在のメカニズムは、システム情報取得手順またはシステム情報変更手順に基づいており、ＳＩＢによって、特に、ＳＩＢ１におけるＴＤＤ構成パラメータによって、ＴＤＤ  ＵＬ−ＤＬ構成が示される。
【００６７】
リリース８のシステム情報変更手順では、ＴＤＤ  ＵＬ／ＤＬ再構成のためのサポートされる時間スケールは、毎６４０ｍｓ以上である。ＥＴＷＳ（地震津波警報システム）を再利用すると、ＴＤＤ  ＵＬ／ＤＬ再構成のためのサポートされる時間スケールは、設定されているデフォルトのページングサイクルに応じて毎３２０ｍｓ以上である。
【００６８】
ＴＤＤ  ＵＬ／ＤＬ構成の半静的割当ては、瞬間的なトラフィック状況に合致することもあれば、しないこともある。しかしながら、例えば、隣接セルの例えばアップリンクまたはダウンリンクにおける通信との干渉を緩和するために、より多くの空白のアップリンクサブフレームを動的に作成する目的で、ＴＤＤ  ＵＬ／ＤＬ構成を現在のトラフィック需要に適合させることは有利である。したがって、リリース１２では、ＴＤＤ  ＵＬ／ＤＬ構成のより動的な変更が採用されるものと予測される。
【００６９】
３ＧＰＰは、さまざまなタイプのＴＤＤ  ＵＬ／ＤＬ再構成の時間スケールおよびそれらの利点／欠点を検討するため、検討項目として非特許文献８に着手した。一般的に、この検討項目の結論として、ＴＤＤ  ＵＬ／ＤＬ再構成の時間スケールが速いほど、ＴＤＤ  ＵＬ／ＤＬ再構成の時間スケールが遅いよりも大きな恩恵が得られる。さらには、要求される仕様の変更量は、サポートされる再構成の時間スケールに依存する。
【００７０】
しかしながら、この検討項目では、レガシーユーザ機器（リリース１１規格以前のみに準拠しており、動的なＴＤＤ再構成メカニズムを実装していないユーザ機器）における問題として、異なるユーザ機器のＴＤＤ構成が異なることに起因する問題も識別された。特に、基地局がセル内のユーザ機器のＴＤＤ構成を動的に再構成することを望むとき、動的なＴＤＤ再構成を適切に処理できるのは新しいユーザ機器のみであるものと想定する。既存のＳＩＢベースのＴＤＤ構成指示方法が使用されず、より動的な指示方法が使用される場合、レガシーユーザ機器はＴＤＤ再構成を適用しない。したがって、レガシーユーザ機器は、デフォルトの（すなわちＳＩＢによって示される）ＴＤＤ構成による無線フレームのダウンリンクサブフレームに基準信号（例：ＣＲＳ：共通基準シンボル）が存在するものと依然として想定する。動的なＴＤＤ構成がダウンリンクサブフレームの代わりにアップリンクサブフレームを有する場合、レガシーユーザ機器はＣＲＳが存在するものと誤って想定し、これにより誤った測定値およびチャネル推定につながりうる。
【００７１】
検討項目では、より動的な指示方法として、ＲＲＣシグナリング、ＭＡＣシグナリング、およびＰＨＹシグナリングも考慮された。ＲＲＣシグナリングによるＴＤＤ  ＵＬ／ＤＬ再構成は、２００ｍｓのオーダーであり、ブロードキャスト法またはマルチキャスト法が指定されていない限りは、ＲＲＣ接続されているユーザあたり１つの再構成メッセージが要求される。ＭＡＣヘッダにおけるＭＡＣ制御要素（ＣＥ）シグナリングによるＴＤＤ  ＵＬ／ＤＬ再構成は、数十ｍｓのオーダーである。物理層設計を使用すると、ＴＤＤ  ＵＬ／ＤＬ適合化の時間スケールとして１０ｍｓのオーダーを達成することができる。
【００７２】
上の検討項目の結果を考慮し、ＴＤＤ  ＵＬ／ＤＬ再構成はできる限り迅速に実行するべきであり、これにより、ＴＤＤ  ＵＬ／ＤＬ構成をトラフィック状況に柔軟に適合させることができる。
【先行技術文献】
【非特許文献】
【００７３】
【非特許文献１】3GPP TS 36.211, “Evolved Universal Terrestrial Radio Access (E-UTRA); Physical Channels and Modulation (Release 8)”
【非特許文献２】LTE - The UMTS Long Term Evolution - From Theory to Practice, Edited by Stefanie Sesia, Issam Toufik, Matthew Baker
【非特許文献３】3GPP TS 36.212, “Multiplexing and channel coding”
【非特許文献４】3GPP TS 25.331, "Radio Resource Control (RRC)", version 6.7.0
【非特許文献５】3GPP TS 36.211 v11.0.0
【非特許文献６】3GPP TS 36.212 v11.0.0
【非特許文献７】LTE - The UMTS Long Term Evolution - From Theory To Practice Edited by: Stefania Sesia, Issam Toufik and Matthew Baker, Second Edition
【非特許文献８】TR 36.828 v11.0.0
【非特許文献９】3GPP TS 36.213 v11.0.0
【発明の概要】
【発明が解決しようとする課題】
【００７４】
本発明の１つの目的は、上述した従来技術の問題を解決する、改善された時分割複信の構成の指示情報を提供することである。無線フレームのＴＤＤ構成の動的な適合化が可能であるべきでことが好ましい。
【課題を解決するための手段】
【００７５】
この目的は、独立請求項の主題によって解決される。有利な実施形態は、従属請求項の主題である。
【００７６】
第１の態様によると、移動局と基地局との間の通信に使用される時分割複信（ＴＤＤ）の構成を、基地局によって、１つの無線フレームの中の２つのサブフレームの特定のインジケータに符号化する。言い換えれば、２つのサブフレームにおけるインジケータの２つの値が、使用されるＴＤＤ構成を一緒に符号化する。これに応じて、移動局は、無線フレームのそれぞれの２つのサブフレームにおける２つのインジケータを受信し、それらの値および関連付けられる時分割複信構成を求め、求めた時分割複信構成を適用する。
【００７７】
より具体的な実施形態においては、インジケータは、通常では通信システムにおいてサブフレームの制御チャネル領域長を示すために使用される制御フォーマットインジケータ（ＣＦＩ）である。ＣＦＩは、無線フレームの各ダウンリンクサブフレームおよび特殊サブフレームの中で送信される（すなわちアップリンクサブフレームでは送信されない）。単純に言えば、このようなサブフレームの中で送信されるＣＦＩは、値１、２、または３をとることができ、これらの値はそれぞれ、制御チャネル領域（すなわちＰＨＩＣＨ、ＰＣＦＩＣＨ、ＰＤＣＣＨを送信するために専用される領域）が１個、２個、または３個のＯＦＤＭシンボル長である、あるいは、２個、３個、または４個のＯＦＤＭシンボル長であることを示し、どちらのケースが適用されるかは、ダウンリンク帯域幅の関数である。残りのダウンリンクＯＦＤＭシンボルは、ＰＤＳＣＨにおけるダウンリンクユーザデータをスケジューリングするのに利用可能である。現在のリリース１１による通信システムにおけるＣＦＩの通常の使用方法に関する詳細については、上の背景技術のセクションに記載されている。
【００７８】
一般的には、ＣＦＩは、値１、２、３、または４をとることができるが、値４は通常では使用されず、予約されているのみである（図８を参照）。
【００７９】
要約すれば、一態様によると、ＴＤＤ構成を移動局に動的に示す目的にＣＦＩを再利用することを提案する。
【００８０】
上の態様の場合、無線フレームの２つのサブフレームの任意の組合せが理論的には可能であるが、２つのサブフレームとして、少なくとも一方が、無線フレームの１０個のサブフレーム０〜９のうちの他のいずれのサブフレームよりも小さい数の、ダウンリンク送信用のＯＦＤＭシンボルを提供する２つのサブフレームを使用することが特に有利である。利点として、既存のインジケータフィールドを新しい目的に使用すると、一般にはレガシーユーザ機器（または同じ意味としてレガシー移動端末）がその新しい用途を認識しないという危険性が生じる。結果として、レガシーユーザ機器は、既存のインジケータを、より新しいユーザ機器とは異なった意味として解釈しうる。ＣＦＩの場合、レガシーユーザ機器は、新しいユーザ機器が想定するものとは異なる制御チャネル領域長（ＯＦＤＭシンボルの数）を想定しうる。結果として、サブフレームにおける制御チャネル領域長を誤った値として想定することによって、一般的にはそのサブフレーム内の物理制御チャネルを正しく検出することができない。すなわち、レガシーユーザ機器は、そのサブフレーム内のＰＤＣＣＨにおけるダウンリンク制御情報によって伝えられるＰＤＳＣＨ割当てを読み取ることができないことがあり、したがって、そのようなサブフレームはレガシーユーザ機器との通信においては失われ、それに対して新しいユーザ機器は、そのサブフレームを依然として所望の目的として使用することができる。したがって、レガシーユーザ機器の特にダウンリンク送信容量の潜在的な消失が最小化されるならば有利である。このことは、ダウンリンク用に利用可能なＯＦＤＭシンボルの数が他のサブフレームよりも少ないサブフレーム（特殊サブフレームなど）において明らかに成り立つ。既存の７つのＴＤＤ構成において、サブフレーム１はつねにこのような特殊サブフレームであるのに対して、サブフレーム６は、ＴＤＤ構成に応じて、通常のダウンリンクサブフレームまたは特殊サブフレームである。しかしながら、たとえサブフレーム６が通常のダウンリンクサブフレームである場合でも、両方のサブフレーム１および６における制御領域長の上限は２個のＯＦＤＭシンボルである。したがって、ＰＤＣＣＨ容量は、一般的には他のサブフレーム（最大で３個または４個のＯＦＤＭシンボル長が許容される）におけるよりも小さい。
【００８１】
一般的に小さいＰＤＣＣＨ容量は、ＴＤＤインジケータを送信するのに適するサブフレームを見つけるうえで別の好ましい基準であり、なぜなら、小さいＰＤＣＣＨ容量は、ダウンリンク送信の場合により少ないユーザ機器を割り当てることができることを意味し、したがって、これらのサブフレームにおいては、レガシーユーザ機器と通信できないことの相対的な損失が、別のサブフレームにおけるよりも一般的に（言い換えれば、例えば制御チャネル領域長が許容値の間で統計的に均一に分布していると想定したときに平均して）小さいためである。
【００８２】
結果として、一実施形態によると、サブフレーム１および６が使用される。または、サブフレーム１および６の少なくとも一方が使用される。
【００８３】
上の態様のいくつかのバリエーションが可能であり、それぞれ、レガシーユーザ機器に対してと、動的なＴＤＤ再構成の柔軟性に対する影響が異なる。
【００８４】
便宜上、特に明記していない限り、以下の説明において「移動局」は、レガシーユーザ機器ではなく、既存のインジケータフィールドの異なる用途を認識しているものと想定する。
【００８５】
第１のバリエーションでは、サブフレーム１および６においては通常ではＣＦＩ値１および２のみを使用することができ、すなわち現在の標準規格によると値３は通常では使用できないことを利用する。したがって、このバリエーションにおいては、ＴＤＤ再構成は、少なくとも１つの無効なＣＦＩを使用して基地局によって符号化される。言い換えれば、基地局は、特定のＴＤＤ構成を示すとき、サブフレーム１および６における２つのＣＦＩのうちの少なくとも一方を値３に設定する。したがって、合計すると、最大で５つの異なる符号点が可能であり（１／３、２／３、３／１、３／２、３／３）、これらを使用して異なるＴＤＤ構成を示すことができる。
【００８６】
結果として、１つのサブフレームまたは２つのサブフレームにおける無効なＣＦＩ値を受信した移動局は、ＴＤＤ再構成が示されていることを認識し、したがって、２つのＣＦＩ値に基づいて特定のＴＤＤ構成を求める。無効なＣＦＩを示しているサブフレームにおいては、無効なＣＦＩは通常のように制御領域長を示さない。移動局は、この点において、あらかじめ設定される制御領域長や、マスター情報ブロックの一部であるＰＨＩＣＨ長設定によって与えられる最小長さなど、別のパラメータを考慮しなければならない。他方のサブフレームにおいても、無効なＣＦＩが示されている場合（符号点３／３の場合）、同じことが適用される。これに対して、２つのサブフレームの２番目が有効なＣＦＩを示している場合、この有効なＣＦＩは通常通りに、すなわちサブフレームの制御領域長を示すものとして使用することができる。
【００８７】
ＣＦＩ値４がすべてのサブフレームにおいて無効であることを考えると、無効な値３に関する上の原理は、サブフレーム１および６のみならず、無線フレームの１０個のサブフレームのうちの任意の２つのサブフレームにも適用することができる。例えば、サブフレーム２および７（または、０、２、３、４、５、７、８、９のうちの任意の別の２つのサブフレーム）におけるＣＦＩを再利用してＴＤＤ構成を符号化することができ、この場合、７つの符号点１／４、２／４、３／４、４／４、４／１、４／２、４／３が利用可能である。
【００８８】
これに対して、ＴＤＤ再構成を符号化するためにサブフレーム１および６におけるＣＦＩを依然として使用するとき、無効なＣＦＩ値４も考慮すると、より多くの符号点、すなわち合計で１２個の符号点（１／３、１／４、２／３、２／４、３／１、３／２、３／３、３／４、４／１、４／２、４／３、４／４）を定義することができる。したがって、無効なＣＦＩ値３のみを使用するときには、５つの利用可能な符号点によって７つのＴＤＤ構成すべてを符号化して区別することができないという欠点があったが、値４も使用するときにはこの欠点は生じない。無効なＣＦＩ値３および４を同時に使用するとき、１２個の利用可能な符号点は、７つの可能なＴＤＤ構成を符号化するのに必要な数を超えており、したがってこのような場合、複数の符号点が同じＴＤＤ構成を表すことができる。
【００８９】
上の態様の第２のバリエーションは、第１のバリエーションとは異なり、有効なＣＦＩのみを使用して、すなわち標準規格に従ってサブフレーム１および６において使用することのできるＣＦＩの値１および２のみを使用して、ＴＤＤ構成を符号化する。したがって、４つの異なる符号点（１／１、１／２、２／１、２／２）が利用可能である。逆に、サブフレーム１および６以外のサブフレームを使用して、ＣＦＩ値を介して動的なＴＤＤ再構成を伝えるときには、値１，２，３を使用することができ、これにより９個の可能な符号点が提供される（後から説明する第３のバリエーションに類似する）。
【００９０】
１つの利点として、これら２つのサブフレーム（好ましくはサブフレーム１および６）におけるＣＦＩを使用することで、動的なＴＤＤ再構成を示すと同時に、これらのサブフレームの制御チャネル領域長を示すことができる。これらのサブフレームにおける制御チャネルは、符号化される動的なＴＤＤ構成のために再利用されるＣＦＩ値に基本的に合わせなければならない。その場合、たとえレガシーユーザ機器でも、ＣＦＩから制御チャネル領域長を正しく検出することができ、さらに、ダウンリンク送信またはアップリンク送信のためのリソース割当てをＰＤＣＣＨにおいて読み取ることができる。
【００９１】
この第２のバリエーションによるＴＤＤ再構成をさらに改善する目的で、利用可能な４つの符号点のうちの１つは、（ＳＩＢ１を使用して）移動局にすでに設定されているデフォルトのＴＤＤ構成を示し、以下ではこれについて説明する。第２のバリエーションにおいては、移動局は、２つのサブフレーム１および６におけるＣＦＩ値を求めたとき、ＴＤＤ再構成と、ＣＦＩの通常の目的とを区別することができない。したがって、移動局は、２つのＣＦＩ値によって示されるＴＤＤ構成を各無線フレームに適用しなければならない。さらに、本出願において提案されている動的なＴＤＤ再構成を行うことのできないレガシーユーザ機器は、ＳＩＢ１交換を使用することによって設定されたデフォルトのＴＤＤ構成に従う。したがって、レガシーユーザ機器と、動的なＴＤＤ再構成をサポートするユーザ機器とが同じＴＤＤ構成に従うことができるようにする目的で、この第２のバリエーションにおいて利用可能な４つの符号点のうちの１つが、通信システムにおいて設定された現在使用されているＴＤＤ構成を示すならば、有利である。
【００９２】
第１の態様の第３のバリエーションでは、有効なＣＦＩ値と無効なＣＦＩ値とを区別せず、したがって、ＣＦＩのすべての可能な値を、ＴＤＤ構成を符号化する目的に使用することができる。４つの可能なＣＦＩ値のうちの３つ（例：１，２，３，または１，２，４）を使用することによって、９個の可能な符号点が得られる。標準規格において現在存在するＴＤＤ構成は７つのみであるため、３つのＣＦＩ値を使用すれば十分である。以下では、ＴＤＤ再構成にＣＦＩ値１，２，３を使用するものと想定する。
【００９３】
この場合も、例えば別の設定メッセージによって与えられる追加の情報がないと、移動局は、標準化されている目的を有する（すなわち制御チャネル領域長を示す）ＣＦＩと、ＴＤＤ構成を動的に変更するために再利用されるＣＦＩとを区別することができない。したがって、移動局は、２つのサブフレームのＣＦＩの組合せすべてを、使用されるＴＤＤ構成を示しているものとみなさなければならない。したがって、移動局が特定のサブフレームの制御領域長を求める方法について、ユーザ機器の挙動を指定しなければならない。いくつかの可能な方法が存在し、ＴＤＤ構成を符号化するために使用されるＣＦＩがどのサブフレームに含まれるかに依存する。例えば、有効なＣＦＩ値のみが使用されるときには、２つのサブフレームにおけるこれらの有効なＣＦＩ値は、ユーザ機器が制御チャネル長を求める目的にも使用することができる。このことは、例えば、有効なＣＦＩ値１および２との組合せにおけるサブフレーム１および６や、有効なＣＦＩ値１，２，３との組合せにおける、１および６以外のサブフレームにあてはまる。これらの場合、特定のフレームの先頭において送信される制御チャネルは、ＴＤＤ構成を符号化するために使用されるＣＦＩ値に適合させなければならない。
【００９４】
これに対して、サブフレームにおいて無効なＣＦＩ値が使用される場合、移動局は、その無効なＣＦＩが別のＣＦＩとともにＴＤＤ構成を符号化している（すなわち通常のように制御チャネル領域長を示していない）ものと想定することができ、その特定のサブフレームにおける制御チャネル領域長を異なる方法で求める。例えば、そのサブフレームの有効なＣＦＩ値の１つ（すなわちサブフレーム１および６の場合には１または２、それ以外のサブフレームの場合には１，２，または３）を示す、あらかじめ設定されたパラメータを使用することができる。あるいは、移動局および基地局は、対応するＰＨＩＣＨ長さパラメータによって与えられる最小制御領域長を、それらのサブフレームにおいて使用される制御チャネル領域長として考慮することができる。
【００９５】
本発明は、通信システムにおいて時分割複信（ＴＤＤ）の構成を移動局に示す方法を提供する。ＴＤＤ構成は、無線フレームのアップリンクサブフレーム、ダウンリンクサブフレーム、および特殊サブフレームを定義する。基地局は、無線フレームｎの第１のサブフレームｉにおけるインジケータの第１の値を設定し、同じ無線フレームｎの第２のサブフレームｊにおけるインジケータの第２の値を設定し、ＴＤＤ構成を符号化する。移動局は、第１のサブフレームｉにおけるインジケータの第１の値を求め、第２のサブフレームｊにおけるインジケータの第２の値を求める。次いで、移動局は、インジケータの求めた第１の値および第２の値に基づいてＴＤＤ構成を求める。上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）である。ＣＦＩは、１，２，３のいずれかの値をとることができ、無線フレームのサブフレーム０〜９のうちｉ＝１かつｊ＝６である。ＴＤＤ構成は、第１のサブフレームｉおよび第２のサブフレームｊにおけるＣＦＩの値の少なくとも１つを値３に設定することによって符号化される。無線フレームｎのそれぞれのサブフレームｉおよびｊにおける２つのＣＦＩの少なくとも一方が値３を有する場合、移動局は、２つのＣＦＩの求めた第１の値および第２の値に基づいてＴＤＤ構成を求める。無線フレームｎのそれぞれのサブフレーム１および６における２つのＣＦＩのいずれも値３を有さない場合、移動局はＴＤＤ構成を求めずに、２つのＣＦＩの求めた第１の値および第２の値にそれぞれ基づいて、サブフレーム１およびサブフレーム６における制御領域長を求める。
【００９６】
上の実施形態に加えて、または上の実施形態に代えて使用できる本発明の有利な実施形態によると、３である第１のＣＦＩ値と３である第２のＣＦＩ値とに基づいて求められるＴＤＤ構成は、通信システムにおいてＴＤＤ構成として使用される可能性が最も低いＴＤＤ構成である。
【００９７】
上の実施形態に加えて、または上の実施形態に代えて使用できる本発明の有利な実施形態によると、移動局には、デフォルトのＴＤＤ構成が設定されており、デフォルトのＴＤＤ構成は、ＴＤＤ構成インデックス０または６に関連付けられるＴＤＤ構成など、ダウンリンクサブフレームよりも無線フレームにおける大幅に多いアップリンクサブフレームを定義している。サブフレーム１および６におけるＣＦＩ値によって求められるＴＤＤ構成は、ＴＤＤ構成インデックス１，２，３，４，５に関連付けられるＴＤＤ構成など、少なくともアップリンクサブフレームと同じ数の無線フレームにおけるダウンリンクサブフレームを定義しており、好ましくは、アップリンクサブフレームよりも多い無線フレームにおけるダウンリンクサブフレームを定義している。
【００９８】
上の実施形態に加えて、または上の実施形態に代えて使用できる本発明の有利な実施形態によると、デフォルトのＴＤＤ構成は、システム情報取得手順またはシステム情報変更手順を使用して移動局に伝えられるＴＤＤ構成である。
【００９９】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）であり、ＣＦＩは、１，２，３，４のいずれかの値をとることができ、無線フレームのサブフレーム０〜９のうちｉ，ｊ∈｛０，１，２，３，４，５，６，７，８，９｝である。ＴＤＤ構成は、第１のサブフレームｉおよび第２のサブフレームｊにおけるＣＦＩの値の少なくとも１つを値３または値４に設定することによって符号化される。無線フレームｎのそれぞれのサブフレームｉおよびｊにおける２つのＣＦＩのうちの少なくとも一方が値３または値４を有する場合、移動局は、２つのＣＦＩの求めた第１の値および第２の値に基づいてＴＤＤ構成を求める。無線フレームｎのそれぞれのサブフレーム１および６における２つのＣＦＩのいずれも値３または値４を有さない場合、移動局はＴＤＤ構成を求めずに、２つのＣＦＩの求めた第１の値および第２の値にそれぞれ基づいて、サブフレームｉおよびサブフレームｊにおける制御領域長を求める。
【０１００】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）であり、ＣＦＩは、１，２，３のいずれかの値をとることができ、無線フレームのサブフレーム０〜９のうちｉ＝１かつｊ＝６である。ＴＤＤ構成は、第１のサブフレームｉおよび第２のサブフレームｊにおけるＣＦＩの値を値１または２の一方に設定することによって符号化される。移動局は、ＣＦＩの求めた第１の値および第２の値に基づいてＴＤＤ構成を求める。さらに、移動局は、ＣＦＩの第１の値および第２の値にそれぞれ基づいて、サブフレームｉおよびサブフレームｊにおける制御領域長を求める。
【０１０１】
上の実施形態に加えて、または上の実施形態に代えて使用できる本発明の有利な実施形態によると、それぞれ値１または２を有する２つのＣＦＩ値に基づいて求められるＴＤＤ構成のうち１つのＴＤＤ構成は、移動端末に設定されているデフォルトのＴＤＤ構成である。
【０１０２】
上の実施形態に加えて、または上の実施形態に代えて使用できる本発明の有利な実施形態によると、デフォルトのＴＤＤ構成は、ＴＤＤ構成インデックス０または６に関連付けられるＴＤＤ構成など、ダウンリンクサブフレームよりも大幅に多い無線フレームにおけるアップリンクサブフレームを定義している。サブフレーム１および６におけるＣＦＩ値によって求められるＴＤＤ構成は、ＴＤＤ構成インデックス１，２，３，４，５に関連付けられるＴＤＤ構成など、少なくともアップリンクサブフレームと同じ数の無線フレームにおけるダウンリンクサブフレームを定義しており、好ましくは、アップリンクサブフレームよりも多い無線フレームにおけるダウンリンクサブフレームを定義している。
【０１０３】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）であり、ＣＦＩは、１，２，３のいずれかの値をとることができ、無線フレームのサブフレーム０〜９のうちｉ＝１かつｊ＝６である。ＴＤＤ構成は、第１のサブフレームｉおよび第２のサブフレームｊにおけるＣＦＩの値を、値１，２，３のうちの１つに設定することによって符号化される。移動局は、無線フレームｎの第１のサブフレームｉおよび第２のサブフレームｊにおける制御領域長を、１）無線フレームｎの第１のサブフレームｉおよび第２のサブフレームｊそれぞれに設定されている所定の制御領域長、２）ＣＦＩ値が１または２であるとき、第１のサブフレームｉおよび第２のサブフレームｊそれぞれにおけるＣＦＩの値、または、３）それぞれのサブフレームｉ，ｊにおける物理ＨＡＲＱ（ハイブリッド自動再送要求）インジケータチャネル（ＰＨＩＣＨ）の長さ値、に基づいて、求める。
【０１０４】
上の実施形態に加えて、または上の実施形態に代えて使用できる本発明の有利な実施形態によると、３である第１のＣＦＩ値と３である第２のＣＦＩ値とに基づいて求められるＴＤＤ構成は、通信システムにおいてＴＤＤ構成として使用される可能性が最も低いＴＤＤ構成に関連付けられている。
【０１０５】
上の実施形態に加えて、または上の実施形態に代えて使用できる本発明の有利な実施形態によると、第１および第２のサブフレームｉ，ｊそれぞれにおけるインジケータの第１および第２の値と、ＴＤＤ構成との間の対応関係は、
無線フレームのサブフレーム０〜９のうちの少なくともサブフレーム０〜４が、第１のサブフレームｉにおけるインジケータの求められた第１の値のみに基づいて、アップリンクサブフレーム、ダウンリンクサブフレーム、または特殊サブフレームのいずれかとして移動局によって求めることができる、および／または、
無線フレームのサブフレーム０〜９のうちの少なくともサブフレーム５〜７が、第２のサブフレームｊにおけるインジケータの求められた第２の値のみに基づいて、アップリンクサブフレーム、ダウンリンクサブフレーム、または特殊サブフレームのいずれかとして移動局によって求めることができる、
ようになっている。
【０１０６】
上の実施形態に加えて、または上の実施形態に代えて使用できる本発明の有利な実施形態によると、移動局にはデフォルトのＴＤＤ構成が設定されており、
１）求められたＴＤＤ構成が、移動局によって無線フレームｎ＋ｍに適用され、ｍが整数でありかつｍ＞＝１である、または、
２）求められたＴＤＤ構成が、移動局によって無線フレームｎ＋１〜ｎ＋ｍにわたり適用され、ｍが整数でありかつｍ＞＝２であり、無線フレームｎ＋ｍ＋１の時点でデフォルトのＴＤＤ構成が移動局によって適用され、好ましくは、無線フレームｎ＋１〜ｎ＋ｍにおけるサブフレームｉ，ｊにおけるインジケータの値が、デフォルトのＴＤＤ構成を符号化する、またはＴＤＤ構成を符号化しない。
【０１０７】
上の実施形態に加えて、または上の実施形態に代えて使用できる本発明の有利な実施形態によると、ｍの値が、１）無線フレームｎの第３のサブフレームｋにおけるインジケータの第３の値に基づいて移動局に示される、または、２）移動局においてあらかじめ設定される。
【０１０８】
上の実施形態に加えて、または上の実施形態に代えて使用できる本発明の有利な実施形態によると、無線フレームｎ−１において、無線フレームｎと同じＴＤＤ構成が、無線フレームｎ−１の第１のサブフレームｉおよび第２のサブフレームｊにおけるインジケータの第１および第２の値を設定することによって符号化されているとき、求められたＴＤＤ構成は有効とみなされる。
【０１０９】
上の実施形態に加えて、または上の実施形態に代えて使用できる本発明の有利な実施形態によると、サブフレームｉおよびサブフレームｊの少なくとも一方は、無線フレームｎの他のサブフレームよりも少ない、ダウンリンクデータ用に利用可能なＯＦＤＭシンボルを有するサブフレームであり、好ましくは、無線フレームｎのサブフレーム０〜９のうちｉ＝１かつｊ＝６である。
【０１１０】
さらに、本発明は、通信システムにおいて時分割複信（ＴＤＤ）の構成を処理する移動局であって、ＴＤＤ構成が、無線フレームのアップリンクサブフレーム、ダウンリンクサブフレーム、および特殊サブフレームを定義する、移動局、を提供する。移動局の受信セクションは、無線フレームｎの第１のサブフレームｉにおけるインジケータを受信し、かつ、同じ無線フレームｎの第２のサブフレームｊにおけるインジケータを受信し、無線フレームｎの第１のサブフレームｉにおけるインジケータの第１の値と、同じ無線フレームｎの第２のサブフレームｊにおけるインジケータの第２の値とが、ＴＤＤ構成を符号化している。移動局のプロセッサは、第１のサブフレームｉにおけるインジケータの第１の値と、第２のサブフレームｊにおけるインジケータの第２の値を求め、インジケータの求めた第１の値および第２の値に基づいてＴＤＤ構成を求める。
【０１１１】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）である。ＣＦＩは、１，２，３のいずれかの値をとることができ、無線フレームのサブフレーム０〜９のうちｉ＝１かつｊ＝６である。ＴＤＤ構成は、第１のサブフレームｉおよび第２のサブフレームｊにおけるＣＦＩの値のうちの少なくとも１つを値３に設定することによって符号化される。プロセッサは、無線フレームｎのサブフレームｉおよびサブフレームｊにおける２つのＣＦＩの少なくとも一方が値３を有するかを判定する。無線フレームｎのサブフレームｉおよびサブフレームｊにおける２つのＣＦＩの少なくとも一方が値３を有する場合、プロセッサは、２つのＣＦＩの求めた第１の値および第２の値に基づいてＴＤＤ構成を求める。無線フレームｎのサブフレーム１およびサブフレーム６における２つのＣＦＩのいずれも値３を有さない場合、プロセッサはＴＤＤ構成を求めずに、２つのＣＦＩの求めた第１の値および第２の値にそれぞれ基づいて、サブフレーム１およびサブフレーム６における制御領域長を求める。
【０１１２】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）である。ＣＦＩは、１，２，３のいずれかの値をとることができ、無線フレームのサブフレーム０〜９のうちｉ＝１かつｊ＝６である。ＴＤＤ構成は、第１のサブフレームｉおよび第２のサブフレームｊにおけるＣＦＩの値を値１または２の一方に設定することによって符号化される。プロセッサは、ＣＦＩの求めた第１の値および第２の値に基づいてＴＤＤ構成を求める。プロセッサは、ＣＦＩの第１の値および第２の値にそれぞれ基づいて、サブフレームｉおよびサブフレームｊにおける制御領域長を求める。
【０１１３】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）である。ＣＦＩは、１，２，３のいずれかの値をとることができ、無線フレームのサブフレーム０〜９のうちｉ＝１かつｊ＝６である。ＴＤＤ構成は、第１のサブフレームｉおよび第２のサブフレームｊにおけるＣＦＩの値を値１，２，３のうちの１つに設定することによって符号化される。プロセッサは、無線フレームｎの第１のサブフレームｉおよび第２のサブフレームｊにおける制御領域長を、１）無線フレームｎの第１のサブフレームｉおよび第２のサブフレームｊに設定された所定の制御領域長、２）ＣＦＩ値が１または２であるとき、第１のサブフレームｉおよび第２のサブフレームｊのそれぞれにおけるＣＦＩの値、または、３）それぞれのサブフレームｉ，ｊにおける物理ＨＡＲＱ（ハイブリッド自動再送要求）インジケータチャネル（ＰＨＩＣＨ）の長さ値、に基づいて求める。
【０１１４】
上の実施形態に加えて、または上の実施形態に代えて使用できる本発明の有利な実施形態によると、プロセッサは、無線フレームのサブフレーム０〜９のうちの少なくともサブフレーム０〜４を、第１のサブフレームｉにおけるインジケータの求めた第１の値のみに基づいて、アップリンクサブフレーム、ダウンリンクサブフレーム、または特殊サブフレームのいずれかであると判定するようにされている。これに加えて、またはこれに代えて、プロセッサは、無線フレームのサブフレーム０〜９のうちの少なくともサブフレーム５〜７を、第２のサブフレームｊにおけるインジケータの求めた第２の値のみに基づいて、アップリンクサブフレーム、ダウンリンクサブフレーム、または特殊サブフレームのいずれかであると判定する。
【０１１５】
上の実施形態に加えて、または上の実施形態に代えて使用できる本発明の有利な実施形態によると、移動局にはデフォルトのＴＤＤ構成が設定されている。プロセッサは、求めたＴＤＤ構成を無線フレームｎ＋ｍに適用し、ｍは整数でありかつｍ＞＝１である、あるいは、プロセッサは、求めたＴＤＤ構成を無線フレームｎ＋１〜ｎ＋ｍにわたり適用し、ｍは整数でありかつｍ＞＝２であり、プロセッサは、無線フレームｎ＋ｍ＋１の時点でデフォルトのＴＤＤ構成を適用するようにさらにされている。
【０１１６】
上の実施形態に加えて、または上の実施形態に代えて使用できる本発明の有利な実施形態によると、プロセッサは、無線フレームｎの第３のサブフレームｋにおけるインジケータの第３の値を求め、第３のサブフレームｋにおけるインジケータの求めた第３の値に基づいて、ｍの値を求める。これに代えて、プロセッサは、移動局におけるあらかじめ設定される値に基づいて、ｍの値を求める。
【０１１７】
上の実施形態に加えて、または上の実施形態に代えて使用できる本発明の有利な実施形態によると、プロセッサは、無線フレームｎ−１のＴＤＤ構成を、無線フレームｎ−１の第１のサブフレームｉおよび第２のサブフレームｊにおけるインジケータの第１の値および第２の値に基づいて求める。プロセッサは、無線フレームｎ−１から求めたＴＤＤ構成が、無線フレームｎから求められるＴＤＤ構成と同じであるときにのみ、無線フレームｎから求められるＴＤＤ構成を適用する。
【０１１８】
さらに、本発明は、通信システムにおいて時分割複信（ＴＤＤ）の構成を移動局に示す基地局であって、ＴＤＤ構成が、無線フレームのアップリンクサブフレーム、ダウンリンクサブフレーム、および特殊サブフレームを定義する、基地局、を提供する。基地局のプロセッサは、ＴＤＤ構成を決定し、無線フレームｎの第１のサブフレームｉにおけるインジケータの第１の値を設定し、同じ無線フレームｎの第２のサブフレームｊにおけるインジケータの第２の値を設定して、決定したＴＤＤ構成を符号化する。基地局の送信器は、第１のサブフレームｉにおけるインジケータと第２のサブフレームｊにおけるインジケータを含む無線フレームを移動局に送信する。
【０１１９】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）である。ＣＦＩは、１，２，３のいずれかの値をとることができ、無線フレームのサブフレーム０〜９のうちｉ＝１かつｊ＝６である。プロセッサは、決定したＴＤＤ構成を符号化するとき、第１のサブフレームｉおよび第２のサブフレームｊにおけるＣＦＩの値の少なくとも一方を値３に設定する。プロセッサは、第１のサブフレームｉおよび第２のサブフレームｊそれぞれの制御チャネル領域長を決定する。プロセッサは、第１のサブフレームｉおよび第２のサブフレームｊにおけるＣＦＩの値を、第１のサブフレームｉおよび第２のサブフレームｊそれぞれの決定した制御チャネル領域長に基づいて、１または２のいずれか一方に設定する。
【０１２０】
上の実施形態に加えて、または上の実施形態に代えて使用できる本発明の有利な実施形態によると、プロセッサは、３である第１のＣＦＩ値と３である第２のＣＦＩ値のＴＤＤ構成を、基地局によってＴＤＤ構成として使用される可能性が最も低いＴＤＤ構成に関連付ける。
【０１２１】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）である。ＣＦＩは、１，２，３のいずれかの値をとることができ、無線フレームのサブフレーム０〜９のうちｉ＝１かつｊ＝６である。プロセッサは、第１のサブフレームｉおよび第２のサブフレームｊにおけるＣＦＩの値を、値１または２の一方に設定して、決定したＴＤＤ構成を符号化する。プロセッサおよび送信器は、ＣＦＩの第１の値および第２の値それぞれに基づいてサブフレームｉおよびサブフレームｊにおける制御チャネルを送信する。
【０１２２】
上の実施形態に加えて、または上の実施形態に代えて使用できる本発明の有利な実施形態によると、インジケータは、ダウンリンクサブフレームまたは特殊サブフレームにおける制御領域長をＯＦＤＭシンボルを単位として示すためにダウンリンクサブフレームまたは特殊サブフレームにおいて使用されるように意図されている制御フォーマットインジケータ（ＣＦＩ）である。ＣＦＩは、１，２，３のいずれかの値をとることができ、無線フレームのサブフレーム０〜９のうちｉ＝１かつｊ＝６である。プロセッサは、第１のサブフレームｉおよび第２のサブフレームｊにおけるＣＦＩの値を、値１，２，３のうちの１つに設定して、決定したＴＤＤ構成を符号化する。プロセッサおよび送信器は、サブフレームｉおよびサブフレームｊにおける制御チャネルを、１）無線フレームｎの第１のサブフレームｉおよび第２のサブフレームｊそれぞれに設定されている所定の制御領域長、２）ＣＦＩ値が１または２であるとき、第１のサブフレームｉおよび第２のサブフレームｊそれぞれにおけるＣＦＩの値、または、３）それぞれのサブフレームｉ，ｊにおける物理ＨＡＲＱ（ハイブリッド自動再送要求）インジケータチャネル（ＰＨＩＣＨ）の長さ値、に基づいて送信する。
【０１２３】
上の実施形態に加えて、または上の実施形態に代えて使用できる本発明の有利な実施形態によると、移動局にはデフォルトのＴＤＤ構成が設定されており、１）プロセッサは、求めたＴＤＤ構成を無線フレームｎ＋ｍに適用し、ｍは整数でありかつｍ＞＝１である、あるいは、２）プロセッサは、求めたＴＤＤ構成を無線フレームｎ＋１〜ｎ＋ｍにわたり適用し、ｍは整数でありかつｍ＞＝２であり、プロセッサは、無線フレームｎ＋ｍ＋１の時点でデフォルトのＴＤＤ構成を適用する。
【０１２４】
上の実施形態に加えて、または上の実施形態に代えて使用できる本発明の有利な実施形態によると、プロセッサは値ｍを決定し、プロセッサは、決定されたｍの値を、無線フレームｎの第３のサブフレームｋにおけるインジケータの第３の値に符号化する。
【０１２５】
以下では、本発明について、添付の図面を参照しながらさらに詳しく説明する。
【図面の簡単な説明】
【０１２６】
【図１】３ＧＰＰ  ＬＴＥシステムの例示的なアーキテクチャを示している。
【図２】３ＧＰＰ  ＬＴＥのＥ−ＵＴＲＡＮアーキテクチャ全体の例示的な概要を示している。
【図３】３ＧＰＰ  ＬＴＥ（リリース８／９）において定義されているダウンリンクコンポーネントキャリアの例示的なサブフレーム境界を示している。
【図４】３ＧＰＰ  ＬＴＥ（リリース８／９）において定義されているダウンリンクスロットの例示的なダウンリンクリソースグリッドを示している。
【図５】通常のサブフレーム、すなわちその物理リソースブロックペアの構造を例示的に示している。
【図６】制御チャネル領域における、ＰＦＩＣＨを形成している４つのＲＥＧおよびそれらの４個のリソース要素の位置を示している。
【図７】制御フォーマットインジケータのチャネル符号化を示している。
【図８】４つのＣＦＩ値１〜４それぞれの符号語を示している。
【図９】現時点で標準化されている７つのＴＤＤ  ＵＬ／ＤＬ構成０〜６について、それぞれにおける１０個のサブフレームの定義と、切替え点周期性を示している。
【図１０】５ｍｓの切替え点周期性の場合における、２つのハーフフレーム、１０個のサブフレームから構成されている無線フレームの構造を示している。
【図１１】本発明の実施形態による移動局の機能の基本的な流れ図を示している。
【図１２】とりうるＣＦＩ値１，２，３および結果としての利用可能なＴＤＤ符号点を示した表であり、さらに、ＣＦＩを伝えるのに使用される特定のサブフレームｉ，ｊに応じてどのＴＤＤ符号点が有効／無効なＣＦＩ値によって構成されるかを示している。
【図１３】とりうるＣＦＩ値１，２，３，４および結果としての利用可能なＴＤＤ符号点を示した表であり、さらに、ＣＦＩを伝えるのに使用される特定のサブフレームｉ，ｊに応じてどのＴＤＤ符号点が有効／無効なＣＦＩ値によって構成されるかを示している。
【図１４】第１の実施形態の１つのバリエーションによる、動的なＴＤＤ構成の指示情報を符号化するための利用可能なＴＤＤ符号点を示した表であり、１および６以外のサブフレームによって伝えられるとき、少なくとも１つの無効なＣＦＩ値（この場合は値４）が符号点を構成しているものと想定している。
【図１５】第１の実施形態の別のバリエーションによる、動的なＴＤＤ構成の指示情報を符号化するための利用可能なＴＤＤ符号点を示した、図１４に類似する表であり、サブフレーム１および６によって伝えられるとき、少なくとも１つの無効なＣＦＩ値（この場合は値３および４）が符号点を構成しているものと想定する。
【図１６】第１の実施形態の別のバリエーションによる、動的なＴＤＤ構成の指示情報を符号化するための利用可能なＴＤＤ符号点を示した、図１４および図１５に類似する表であり、サブフレーム１および６によって伝えられるとき、少なくとも１つの無効なＣＦＩ値（この場合は値４）が符号点を構成しているものと想定する。
【図１７】第１の実施形態の別のバリエーションによる、動的なＴＤＤ構成の指示情報を符号化するための利用可能なＴＤＤ符号点を示した、図１４に類似する表であり、サブフレーム１および６によって伝えられるとき、少なくとも１つの無効なＣＦＩ値（この場合は値３）が符号点を構成しているものと想定する。
【図１８】図１７の表に基づく表であり、ＴＤＤ構成１〜５を利用可能な５つのＴＤＤ符号点に関連付ける一例をさらに示している。
【図１９】第１の実施形態の１つのバリエーションによる、制御チャネル領域長を求める処理と動的なＴＤＤ再構成に関する移動局の機能の流れ図である。
【図２０】第１の実施形態による、移動局によって動的なＴＤＤ再構成がどの無線フレームに適用されるかを示している。
【図２１】第１の実施形態による、移動局によって動的なＴＤＤ再構成がどの無線フレームに適用されるかを示している。
【図２２】第２の実施形態の１つのバリエーションによる、動的なＴＤＤ構成の指示情報を符号化するための利用可能なＴＤＤ符号点を示した表であり、サブフレーム１および６によって伝えられるとき、有効なＣＦＩ値のみが符号点を構成するものと想定している。
【図２３】第２の実施形態の別のバリエーションによる、動的なＴＤＤ構成の指示情報を符号化するための利用可能なＴＤＤ符号点を示した表であり、｛０，２，３，４，５，７，８，９｝のうちの２つのサブフレームによって伝えられるとき、有効なＣＦＩ値のみが符号点を構成するものと想定している。
【図２４】図２２の表に基づく表であり、ＴＤＤ構成０，２，４，５を利用可能な４つのＴＤＤ符号点に関連付ける一例をさらに示している。
【図２５】第２の実施形態の１つのバリエーションによる、制御領域長を求める処理と動的なＴＤＤ再構成に関する移動局の機能の流れ図を示している。
【図２６】第２の実施形態による、移動局によって動的なＴＤＤ再構成がどの無線フレームに適用されるかを示しており、次の無線フレームのみにＴＤＤ再構成が適用されるものと想定している。
【図２７】第２の実施形態による、移動局によって動的なＴＤＤ再構成がどの無線フレームに適用されるかを示しており、次の２つの無線フレームにＴＤＤ再構成が適用されるものと想定している。
【図２８】第３の実施形態のバリエーションによる、動的なＴＤＤ構成の指示情報を符号化するための利用可能なＴＤＤ符号点を示した表であり、すべてのＣＦＩ値がＴＤＤ符号点を構成するものと想定している。
【図２９】第３の実施形態の１つのバリエーションによる、ＴＤＤ構成を、図２８に関連して説明した利用可能なＴＤＤ符号点に関連付ける一例をリストした表を示している。
【図３０】第３の実施形態による、システムにおいてどの無線フレームに動的なＴＤＤ再構成が適用されるかを示しており、次の無線フレームのみにＴＤＤ再構成が適用されるものと想定している。
【図３１】第３の実施形態の１つのバリエーションによる、制御領域長を求める処理と動的なＴＤＤ再構成に関する移動局の機能の流れ図である。
【図３２】図９に関連して説明したＴＤＤ構成を示す表であり、サブフレーム０，１，２，５においてはアップリンク／ダウンリンク構成がすでに固定されていることをさらに示している。
【図３３】さらなる実施形態による、動的なＴＤＤ再構成を符号化するための２つのＣＦＩ値のうちサブフレームｉにおける第１のＣＦＩ値について示した表であり、この第１のＣＦＩ値によって最初の方のサブフレーム０〜５が決まる一例の対応関係を示している。
【図３４】このさらなる実施形態による、動的なＴＤＤ再構成を符号化するための２つのＣＦＩ値のうちサブフレームｊにおける第２のＣＦＩ値について示した表であり、この第２のＣＦＩ値によってサブフレーム６，７が決まり、サブフレーム８，９の一部が決まる一例の対応関係を示している。
【図３５】このさらなる実施形態による、第２のＣＦＩ値が１である場合に、サブフレームｉにおける第１のＣＦＩ値との組合せにおいて、サブフレーム８および９がどのように明確に決まるかを示した表である。
【図３６】このさらなる実施形態による、ＴＤＤ構成を、利用可能なＴＤＤ符号点に関連付ける一例を示した表である。
【発明を実施するための形態】
【０１２７】
以下の段落では、本発明のさまざまな実施形態について説明する。例示のみを目的として、実施形態のほとんどは、３ＧＰＰ  ＬＴＥ（リリース８／９）およびＬＴＥ−Ａ（リリース１０／１１）の移動通信システムによる無線アクセス方式に関連して概説してあり、これらの技術については一部が上の背景技術のセクションに説明してある。なお、本発明は、例えば、上の背景技術のセクションに説明されている３ＧＰＰ  ＬＴＥ−Ａ（リリース１０／１１／１２）の通信システムなどの移動通信システムにおいて有利に使用することができるが、本発明は、この特定の例示的な通信ネットワークにおける使用に限定されないことに留意されたい。
【０１２８】
用語「ＴＤＤ構成」は、現在の標準規格に定義されているＴＤＤアップリンク／ダウンリンク構成を意味し、ＴＤＤ構成は、無線フレームの各サブフレームについて、それらがダウンリンクサブフレームであるか、アップリンクサブフレームであるか、特殊サブフレームであるかを定義する。用語「ＴＤＤ構成インデックス」は、７つの可能なＴＤＤ  ＵＬ／ＤＬ構成のうちの１つにそれぞれ関連付けられる番号（現時点では０〜６）であり、３ＧＰＰの技術規格に定義されている（図９を参照）。
【０１２９】
請求項および本明細書全体を通じて使用されている用語「デフォルトのＴＤＤ構成」は、背景技術のセクションにおいて説明したように、ＳＩＢ１を使用することによってシステムにおいて半静的に設定されるＴＤＤ構成を意味する。言い換えれば、デフォルトのＴＤＤ構成は、システム情報取得／変更手順の従来のメカニズムを使用して基地局の通信領域内のすべてのユーザ機器にブロードキャストされる１つのＴＤＤ構成である。当然ながら、「デフォルトのＴＤＤ構成」は、通信中に変更することもできるが、本発明の場合のように動的ではなく、長期的なサイクルで変更される。しかしながら、「デフォルトのＴＤＤ構成」を変更することは、ＴＤＤ符号点の１つがデフォルトのＴＤＤ構成を示さなければならないときなど、本発明の実施形態のいくつかに影響が生じうる。デフォルトのＴＤＤ構成が変更されると、ＣＦＩ符号点の１つとの間の対応関係を更新しなければならないことがある。
【０１３０】
請求項における「使用されるように意図されている」という表現は、レガシーユーザ機器の場合や、ＴＤＤ構成を示す、または符号化するために選択されたサブフレーム以外のサブフレームにおけるように、制御フォーマットインジケータの通常の目的を定義する。この表現は、ダウンリンクサブフレームまたは特殊サブフレームにおける制御領域長を示すという意図された目的にＣＦＩが実際に使用されることを必ずしも意味するものではない（ただしこれを除外するものでもない）。通常では別の目的のために採用されているインジケータが、ＴＤＤ構成を符号化するために再利用されるため、このインジケータ（すなわちＣＦＩ）の通常に意図される目的を指定することによって、本発明のこの態様が定義される。
【０１３１】
以下では、本発明のいくつかの実施形態について詳しく説明する。これらの説明は、本発明を制限するものではなく、本発明を深く理解するため本発明の実施形態の単なる例であることを理解されたい。当業者には、請求項に記載されている本発明の一般的な原理を、異なるシナリオに適用できること、または本明細書に明示的に記載されていない方法で適用できることが認識されるであろう。したがって、さまざまな実施形態を説明する目的のために想定されている以下のシナリオは、本発明を制限するものではない。
【０１３２】
説明全体を通じて、以下の定義が使用される。
−  ｉ，ｊ，ｋは、無線フレーム内のサブフレームインデックスであり、ｉ，ｊは整数であり、∈｛０，１，２，…，９｝
−  ｎは整数である。
−  ｍは整数である。
【０１３３】
本発明は、一般的には、ＴＤＤ構成に関し、特に、ＴＤＤ構成を動的に変更するための迅速なメカニズムについて説明する。背景技術のセクションで説明したように、ＴＤＤ構成の半静的な再構成は速度が遅く面倒であり、以下に説明するさまざまな実施形態の１つによる動的なプロセスによって改良される。
【０１３４】
本発明の主たる一態様として、基地局が、１つの無線フレームの２つのサブフレームにおいて送信される特定のインジケータの２つの値に、特定の動的なＴＤＤ構成を符号化することによって、ＴＤＤ構成を移動局に動的に示す。言い換えれば、無線フレームにおいて、すなわち無線フレームの２つのサブフレームにおける特定のタイプのインジケータの２つの値を一緒に使用して、ＴＤＤ構成を符号化する。したがって、移動局は、２つのサブフレームにおける２つのインジケータを処理した後、これら２つのインジケータ値に基づいてＴＤＤ構成を求めることができる。
【０１３５】
次いで、求めたＴＤＤ構成を、指定されたとおりに適用することができる。例えば、動的なＴＤＤ構成が次のｍ個の無線フレームにおいて使用され、そのｍ個の無線フレームの後には、デフォルトのＴＤＤ構成が再び使用される。
【０１３６】
図１１は、上記による、移動局におけるこの態様の機能の基本的な流れ図を示している。
【０１３７】
本発明のより具体的な実施形態においては、ＴＤＤ構成を符号化するための上述したインジケータは、制御フォーマットインジケータである。背景技術のセクションにおいて図７および図８に関連して説明したように、制御フォーマットインジケータ（ＣＦＩ）の意図された用途は、非特許文献６の５.３.４章に定義されており、「対応するダウンリンクセルのそのサブフレームにおけるダウンリンク制御情報（ＤＣＩ）の時間期間（ＯＦＤＭシンボルを単位とする）のインジケータ」である。この時間期間中に、ＰＨＩＣＨ、ＰＣＦＩＣＨ、およびＰＤＣＣＨ（各ＰＤＣＣＨがＤＣＩを伝える）の全体が送信され、したがって言い換えれば、ＣＦＩは、ＰＨＩＣＨ、ＰＣＦＩＣＨ、およびＰＤＣＣＨの各チャネルが位置する、サブフレーム（ダウンリンクサブフレームおよび特殊サブフレーム）の先頭における制御領域の長さを示す。ＣＦＩは、つねにＰＣＦＩＣＨにおいて伝えられる。
【０１３８】
本発明によると、無線フレームの２つのサブフレーム（ダウンリンクサブフレームもしくは特殊サブフレームまたはその両方）のＰＣＦＩＣＨにおいて送信される制御フォーマットインジケータが、セル内の移動局にＴＤＤ構成の変更を示す目的に再利用される。具体的には、無線フレームの２つのＣＦＩが協働して、特定のＴＤＤ構成を符号化する。
【０１３９】
一般的に、ＣＦＩの符号化方式とはほぼ無関係に（以下の第１の実施形態、第２の実施形態、および第３の実施形態におけるＣＦＩの符号化方式とは無関係に）、ＣＦＩによって符号化されたＴＤＤ再構成の指示情報は、次のように交換される。自身のセル内のＴＤＤ構成を制御する基地局は、すべてのユーザ機器についてセル内のデータトラフィックを監視しており、したがって、現在のトラフィック状況には別のＴＤＤ構成が最適に合致するかに関して適切に判断することができる。したがって、基地局は、現在のトラフィックに合致する特定のＴＤＤ構成を決定し、次いで対応する２つのＣＦＩ値を求める。後者のステップは、基地局内の表に基づいて行うことができ、この表は、ＴＤＤ構成と、そのＴＤＤ構成を符号化する対応するＣＦＩ値との間の対応関係に関する情報を提供する。次いで、基地局は、上述したように、無線フレームｎの２つの選択されたサブフレーム（例：１および６）におけるＰＣＦＩＣＨの中で２つのＣＦＩ値を送る。
【０１４０】
なお、ＰＣＦＩＣＨは、基地局のセル内のすべてのユーザ機器によって受信されることに留意されたい。移動局は、無線フレームｎを受信し、この無線フレーム内のすべてのサブフレームと、したがって特定の２つのサブフレームのＰＣＦＩＣＨに示されているＣＦＩ値とを正常に処理する。当然ながら、移動局は、どの２つのサブフレームが、動的なＴＤＤ再構成を一緒に符号化するＣＦＩ値を伝えるかを認識している。したがって、移動局は、基地局に格納されている表に一致する、自身に格納されている表に基づいて、ＴＤＤ再構成を復号化することができる。次いで、このようにして復号化されたＴＤＤ再構成が、無線フレームｎに続く少なくとも１つの無線フレームに対して、基地局および移動局によって適用される。
【０１４１】
ＴＤＤ構成とＣＦＩ符号点との間の対応関係を有する、移動局および基地局における上述した表は、最初にＲＲＣシグナリングによって設定することができる。
【０１４２】
図１２および図１３は、２つのサブフレームｉおよびｊにおけるＣＦＩ値と、それらの結果としての対応する符号点と、サブフレームインデックスに応じて、どのＣＦＩ値が有効であるかとを示している。より具体的には、図１２においては、ＴＤＤ構成を符号化する目的にＣＦＩ値１，２，３のみが使用されるものと想定されているのに対して、図１３の場合、ＴＤＤ構成を符号化する目的に４つの利用可能なＣＦＩ値すべてが使用されるものと想定されている。ＣＦＩ値は、現在の規格によって定義されているように、その特定のサブフレームにおいてそのＣＦＩ値を通常送ることができるとき、有効とみなされる。したがって、ＣＦＩの値４はつねに無効であり、なぜなら、値４は予約されているものとみなされ（図８を参照）、制御チャネル領域長を示すために使用されることがないためである。背景技術のセクションにおいて、非特許文献５からの表７.７−１に関連して説明したように、サブフレーム１および６におけるＣＦＩは、値１および値２のみをとることができる（対応する表を参照）。したがって、サブフレーム１および６においては、１および２以外のＣＦＩ値（すなわち値３および４）は無効である。これに対して、残りのサブフレーム（０，２，３，４，５，７，８，９）においては、値３も有効である。
【０１４３】
動的なＴＤＤ再構成を行うことができるようにサブフレーム１および６がＣＦＩ値を伝えるならば、特に有利である。サブフレーム１は、つねに特殊サブフレームであり、すなわち、ダウンリンク容量が通常のダウンリンクサブフレームよりもつねに小さい。サブフレーム６は、７つの可能なＴＤＤ構成のうち４つ（０，１，２，６）の場合において特殊サブフレームである。これら４つのＴＤＤ構成０，１，２，６の場合のサブフレーム６のダウンリンク容量は、通常のダウンリンクサブフレームよりも小さい。特に、これらのサブフレーム１および６における制御チャネル領域は、１個または２個のＯＦＤＭシンボル長のみであり、したがってこれらのサブフレームではつねにＰＤＣＣＨ容量がより制限される。
【０１４４】
すでに説明したように、新規の目的にＣＦＩを使用することに起因して、レガシーユーザ機器が、新しいユーザ機器とは異なる制御チャネル領域長（ＯＦＤＭシンボルを単位とする）を想定することがある。結果として、サブフレームにおける制御チャネル領域長の想定が誤ったものとなることにより、一般的にはそのサブフレームにおける物理制御チャネルを正しく検出することができない。すなわち、レガシーユーザ機器は、そのサブフレームにおけるＰＤＣＣＨにおけるダウンリンク制御情報によって伝えられるＰＤＳＣＨ割当てを読み取ることができないことがあり、したがって、レガシーユーザ機器との通信において、そのようなサブフレームは失われる。これに対して、新しいユーザ機器は、依然として所望の目的にサブフレームを使用することができる。したがって、レガシーユーザ機器の特にダウンリンク送信容量の潜在的な消失が最小化されるならば有利である。これは、明らかに、ダウンリンクにおいて利用可能なＯＦＤＭシンボルが他のサブフレームよりも少ないサブフレーム、例えば特殊サブフレームの場合である。既存の７つのＴＤＤ構成においては、サブフレーム１はつねにそのような特殊サブフレームであるのに対して、サブフレーム６は、ＴＤＤ構成に応じて、通常のダウンリンクサブフレームまたは特殊サブフレームである。しかしながら、たとえサブフレーム６が通常のダウンリンクサブフレームであっても、両方のサブフレーム１および６における制御領域長の上限は２個のＯＦＤＭシンボルである。したがって、ＰＤＣＣＨ容量は、一般的に他のサブフレーム（最大で３個または４個のＯＦＤＭシンボル長が許可される）におけるよりも小さい。
【０１４５】
一般的に小さいＰＤＣＣＨ容量は、ＴＤＤインジケータを送信するのに適するサブフレームを見つけるうえで別の好ましい基準であり、なぜなら、小さいＰＤＣＣＨ容量は、ダウンリンク送信の場合により少ないユーザ機器を割り当てることができることを意味し、したがって、これらのサブフレームにおいては、レガシーユーザ機器と通信できないことの相対的な損失が、別のサブフレームにおけるよりも一般的に（言い換えれば、例えば制御チャネル領域長が許容値の間に統計的に均一に分布していると想定したときに平均して）小さいためである。
【０１４６】
第１の実施形態
【０１４７】
本発明の実施形態の第１のセットによると、少なくとも１つの無効なＣＦＩ値を使用して、ＴＤＤ構成を、無線フレームにおける２つのサブフレームのＣＦＩに符号化する。１つの利点として、制御チャネル領域長を示すという通常の意味において基地局が無効なＣＦＩ値を送ることはないと想定したとき、少なくとも１つの無効なＣＦＩ値を示すことによって、移動局は、そのＣＦＩ値の組合せがＴＤＤの再構成を示していることを推測することができる。
【０１４８】
図１２および図１３に関連してすでに説明したように、無線フレームのどの２つのサブフレームを使用して２つのＣＦＩを伝えるかに応じて、無効なＣＦＩ値は変化する。図１４〜図１７は、ＴＤＤ構成を伝えるのにどの２つのサブフレームが選択されるかと、どのＣＦＩ値が実際に使用されるかとに応じての、さまざまな可能なＣＦＩ値の組合せと、結果としての符号点を示している。
【０１４９】
具体的には、図１４の場合、サブフレーム１および６以外のサブフレームが使用されるものと想定し、すなわちｉ，ｊ∈｛０，２，３，４，５，７，８，９｝である。この場合、ＣＦＩ値４のみが無効であり、なぜなら残りのＣＦＩ値１，２，３は、対応するサブフレームにおいて制御チャネル領域長を示すために使用できるためである。結果として、図１４に示したように、７つの符号点が利用可能である。
【０１５０】
図１５においては、サブフレーム１および６が、動的なＴＤＤ構成を符号化するためのＣＦＩ値を伝えるものと想定する。サブフレーム１および６においてはＣＦＩ値３および４が無効であることを考えると、この場合にはＴＤＤ構成のための合計で１２個の符号点が利用可能となる。
【０１５１】
図１６も、サブフレーム１および６がＣＦＩ値を伝える場合を示している。しかしながら、図１６では、図１５と異なる点として、ＣＦＩ値４のみが無効なＣＦＩ値とみなされる（ＣＦＩ値３は使用されない）。逆に、図１７は、ＣＦＩ値３のみが無効なＣＦＩ値とみなされる（ＣＦＩ値４は使用されない）場合を示している。図１６および図１７のいずれにおいても、実施形態のこの第１のセットによると、動的なＴＤＤ再構成のために５つの符号点が利用可能である。
【０１５２】
例示を目的として、以下の説明では、図１７のＴＤＤ符号点に焦点を当て、この場合、予約されているＣＦＩ値４は考慮されず、サブフレーム１および６がＣＦＩ値およびしたがって動的なＴＤＤ再構成を伝える。
【０１５３】
図１８は、利用可能な符号点とＴＤＤ構成との間のいくつかの可能な対応関係のうちの１つを示している。一般的には、７つの可能なＴＤＤ構成のうち任意の５つを、動的なＴＤＤ構成として示すように選択することができる。理解できるように、図１７（または図１６：この場合にはＣＦＩ値３ではなくＣＦＩ値４を考慮する）によって定義される符号点を使用するときには、７つのＴＤＤ構成のすべてを動的に示すことはできない。図１４および図１５に示した実施形態の場合、すべてのＴＤＤ構成を動的に示すことができ、なぜならこの点において十分な符号点が存在するためであり、実際には、同じＴＤＤ構成を複数のＴＤＤ符号点に割り当てることも可能である。
【０１５４】
さらには、７つのＴＤＤ構成のうちの５つと符号点との間の特定の対応関係を自由に定義することもできる。したがって、図１８に示した対応関係は単なる一例であり、順序において任意の他のバリエーションとすることができる。例えば、符号点１／３を、ＴＤＤ構成０〜６のうちの任意のＴＤＤ構成に関連付けることができる。このことは残りの符号点についても同様である。
【０１５５】
しかしながら、特定のＴＤＤ構成と、ＴＤＤ構成と符号点との間の特定の対応関係の場合、さらなる恩恵を得ることができ、以下ではこれについて説明する。
【０１５６】
レガシーユーザ機器（すなわち本発明に説明されている動的なＴＤＤ再構成を使用することができないユーザ機器）は、サブフレーム内で送信された無効なＣＦＩを無効として検出できないことがあり、なぜなら、レガシーユーザ機器の挙動は、この点において指定されていないためである。したがって、レガシーユーザ機器は、サブフレーム１においてＣＦＩ値３を受信した場合、ＣＦＩ値３が有効ではなく、このＣＦＩ値３を誤って受信したものと想定しうる。レガシーユーザ機器は、その実装に応じて、その特定のサブフレームにおいてＣＦＩ値１または２が送信および使用されたのかを推測または推定することを試みることができ、場合によってはたまたま正しく推測することがあり、なぜなら、本発明では、たとえ基地局がＣＦＩ値３（または４）を示す場合でも、制御チャネル領域長として１個または２個のＯＦＤＭシンボルを想定して基地局が制御チャネルを送信するものと想定しているためである。あるいは移動局は、誤った推測を行い、制御チャネルを復号化することができない。さらには、移動局はブラインド復号化することもでき、すなわちＣＦＩ＝１およびＣＦＩ＝２を試みる。しかしながら、ブラインド復号化は、ユーザ機器における処理量が大幅に増すことを意味し、レガシーユーザ機器においては、コストが恩恵を上回る可能性が高いため、通常では行われないものと想定することができる。
【０１５７】
レガシーユーザ機器に対する影響を低減するためには、両方のサブフレームにおいて無効なＣＦＩ値を有するＴＤＤ符号点をできる限り回避するべきである。より詳細には、符号点３／３は、動的なＴＤＤ再構成を符号化する目的で使用する頻度を最小にするべきであり、なぜなら、ユーザ機器は両方のサブフレームにおける制御チャネルを読み取ることができないことがあり、レガシーユーザ機器に対する影響が最大であるためである。したがって、選択された５つのＴＤＤ構成のうち、使用頻度が最小であると推定されるＴＤＤ再構成に、ＴＤＤ符号点３／３を関連付ける。またはこれに代えて、このような符号点はまったく使用せず、したがっていずれのＴＤＤ構成も示さない。
【０１５８】
別の改善点は、７つの可能なＴＤＤ構成から５つのＴＤＤ構成を選択することに関連する。図１７による２つのＣＦＩによって提供されるＴＤＤ符号点を使用する場合、７つのＴＤＤ構成すべてを動的に示すことができないため、より多くの利点を得るため、これら５つのＴＤＤ構成は以下のように選択する。
【０１５９】
レガシーユーザ機器および非レガシーユーザ機器は、無線リソース管理（ＲＲＭ）測定値および無線リンク監視（ＲＬＭ）測定値を得るためにいわゆる基準信号を使用し、基準信号受信電力（ＲＳＲＰ）および基準信号受信品質（ＲＳＲＱ）は例である。これらの測定値は、例えば、どの基地局が最強の信号または最良の品質で受信されるかのみならず、接続されている基地局からの信号がしきい値より低下して無線リンク障害（ＲＬＦ）を検出するときを検出するために、リンク品質測定値を得るために基本的に使用される。これらの測定のための基準信号は、定義によると、ダウンリンクで送信され、すなわち、ＴＤＤで動作するレガシーユーザ機器または新しいユーザ機器は、アップリンクサブフレームにはこのような基準信号が存在しないものと想定する。したがって、レガシーユーザ機器がデフォルト（＝ＳＩＢ１）のＴＤＤ構成から、ダウンリンクサブフレームが送られると想定する場合、レガシーユーザ機器は、基準信号が含まれているものと想定する。しかしながら、新しいユーザ機器に対して、そのサブフレームがアップリンクサブフレームに動的に再構成される場合、基地局はそのサブフレームの中で基準信号を送信しない。結果として、レガシーユーザ機器は、何らかのランダムに受信される信号を基準信号と解釈し、これは誤りであるため、実質的な測定の不正確性につながることがあり、場合によっては無線リンク障害（ＲＬＦ）条件が誤って報告されうる。同様に、ユーザ機器は、チャネル品質情報およびチャネル状態情報を推定する目的で基準信号を使用し、これらの情報は、ダウンリンクデータ送信の例えば変調・符号化率の以降のリンクアダプテーションのために、基地局にフィードバックされる。この場合に誤りが生じると、通常では容量の損失や、誤り率の増大につながったり、データの再送信が必要となる。ＲＲＭ、ＲＳＲＰ、ＲＳＲＱに関する詳細については、非特許文献２の２２節、２２.３.１.１節、２２.３.１.２に記載されており、ＲＬＭについては、同文献の２２.７節に記載されており、チャネル品質のフィードバックおよびリンクアダプテーションについては、同文献の１０節に記載されており、ＲＬＦによる接続の再確立については、同文献の３.２.３.５節および２２.６.１節に記載されている。
【０１６０】
したがって、これらの測定誤りおよびその影響に関してレガシーユーザ機器に対する影響を最小にするためには、ＳＩＢ１を介してのデフォルトのＴＤＤ構成を、アップリンクの比率が高いものとするべきであり、すなわち、無線フレームにおいてダウンリンクサブフレームよりも多くのアップリンクサブフレームを定義するべきである。例えば、ＴＤＤ構成インデックス０に関連付けられるＴＤＤ構成では、無線フレームにおいて２つのダウンリンクサブフレームと比較して６つのアップリンクサブフレームが定義されている。同様に、ＴＤＤ構成インデックス６に関連付けられるＴＤＤ構成も好ましい候補であり、このＴＤＤ構成では、無線フレームにおいて３つのダウンリンクサブフレームと比較して５つのアップリンクサブフレームが定義されている。
【０１６１】
デフォルトのＴＤＤ構成がアップリンクの比率が高いことを考慮して、利用可能な５つの動的なＴＤＤ構成は、さまざまなアップリンク／ダウンリンク比を提供するべきである。図９を検討することで理解できる点として、ＴＤＤ構成インデックス１のＴＤＤ構成は、バランスのとれたＴＤＤ構成であり、４つのダウンリンクサブフレームおよび４つのアップリンクサブフレームを有する。インデックス２，３，４，５のＴＤＤ構成は、よりダウンリンクの比率が高くなり、アップリンク／ダウンリンク比は、それぞれ、２／６、３／６、２／７、１／８である（図９を参照）。特に、ダウンリンクの比率が極めて高いＴＤＤ構成４および５は、主ダウンリンクトラフィックに適合させるうえで重要である。
【０１６２】
したがって、さまざまなトラフィック状況に適合できるようにするため、さまざまなアップリンク／ダウンリンク比を提供する目的で、上の実施形態の１つのバリエーションでは、ＴＤＤ構成インデックス１，２，３，４，５のＴＤＤ構成を、利用可能な５つの符号点に割り当てる。図１８はこの改善を示しているが、これは単なる一例である。前述したように、レガシーユーザ機器に対して予測されるマイナスの影響が最も大きくなりうるのは、非レガシーユーザ機器のための動的なＴＤＤ再構成を符号化するために符号点３／３が送信される場合である。デフォルトのＴＤＤ構成が、アップリンクの比率が高いものである場合、符号点３／３は、セル内のトラフィック状況に適合させるためにさほど必要とされることのないＴＤＤ構成を示す目的に使用することが好ましい。例えば、長期的な平均においてアップリンクの比率が高いトラフィックである場合、動的な再構成の必要はほとんどなく、したがって、符号点３／３によってどの構成を示すかは重要ではない。長期的な平均においてトラフィックがバランスのとれたものである場合、アップリンクの比率が高いデフォルトの構成と、ダウンリンクの比率が極めて高い構成を動的に使用して動作させれば十分であり、平均としてのアップリンク／ダウンリンク比はかなりバランスのとれたものとなる。この意味において、構成１などのバランスのとれたＴＤＤ構成は、定期的に使用する必要はなく、したがって、符号点３／３に関連付ける構成として良好な候補である。デフォルトの構成がアップリンクの比率が高いものであるにもかかわらず、長期的な平均のトラフィックのダウンリンクの比率がかなり高い場合、動的な再構成は極めてしばしば示され、構成４や構成５などダウンリンクの比率がかなり高い構成を示すべきである。この場合にも、バランスのとれたＴＤＤ構成は、符号点３／３に関連付けるのに適する候補であり、なぜなら、そのセル内で使用される可能性が低いためである。同様に考えて、デフォルトの構成がダウンリンクの比率が高いものである場合、バランスのとれた構成が定期的に要求されることはなく、符号点３／３によって表すことが好ましい。デフォルトの構成がバランスのとれた構成である場合、利用可能な符号点は、アップリンクの比率が高い構成と、ダウンリンクの比率が高い構成とをバランスよく表すべきである。現在のシステムでは、ダウンリンクの比率が高い構成の方が多く定義されているため、ダウンリンクの比率が高い構成のうちの１つを符号点３／３によって表すことは許容可能であり、レガシーユーザ機器に対するマイナスの影響が小さいように使用することのできる少なくとも２つの他の符号点が、非レガシーユーザ機器に、ダウンリンクの比率が高い構成を示す。あるＴＤＤ構成を符号点によって表すか否かが問題である場合にも、同じ考察が適用される。特定の構成を符号点によって示すことの重要性に関する考察を適用して、利用可能な符号点によって表す必要がない（または必要性が最低である）のはどの種類の構成かを判定することができる。例えば、デフォルトの構成が、アップリンクの比率が高い構成である、またはダウンリンクの比率が高い構成である場合、バランスのとれた構成はいずれの符号点によっても表されないままとすることができ、すなわちたとえ符号点３／３によっても表されないようにすることができ、したがって、符号点３／３は動的な再構成をまったく表さない。上述したように、符号点３／３によって表すのに最適な構成は、デフォルトの構成の特性に依存しうる。したがって、本発明のバリエーションにおいては、どのＴＤＤ構成が符号点３／３によって表されるかは、デフォルトのＴＤＤ構成に依存する。以下に説明する第２の実施形態および第３の実施形態においても、どのＴＤＤ構成が利用可能な符号点によって表す必要性が最大または最小であるか、またはどの符号点によって表すかを考慮するとき、同じ考察があてはまる。
【０１６３】
図１９は、２つのサブフレームにおけるＣＦＩ値の受信および処理に関する移動局の機能を概略的に示した流れ図である。以下では、本発明の第１の実施形態の１つのバリエーションによる、移動局がサブフレームにおける制御領域長と動的なＴＤＤ再構成を導く方法について、図１９を参照しながら説明する。図１９による実施形態においては、ＣＦＩによって符号化された動的なＴＤＤ再構成を、図１７および図１８によって定義されているＴＤＤ符号点に従って（すなわち無効なＣＦＩ値４ではなく無効なＣＦＩ値３を使用する）、サブフレーム１および６が伝えるものと想定する。しかしながら、以下の説明は、別の想定にも適用される。例えば、｛０，２，３，４，５，７，８，９｝のうちの２つのサブフレームとの組合せにおいて無効なＣＦＩ値４を使用して、ＣＦＩによって符号化される動的なＴＤＤ再構成を伝えるとき（図１４を参照）や、図１５に示したように、無効なＣＦＩ値３および４の両方を使用するとき、あるいは、図１６に示したように、無効なＣＦＩ値３ではなく無効なＣＦＩ値４を使用するときである。
【０１６４】
サブフレーム１および６におけるＣＦＩ値に基づいて、ユーザ機器において２つのプロセスが実行され、これらのプロセスは、図１９に例示的に示したように個別に実行することができる。一方のプロセスにおいては、ユーザ機器は、各サブフレームの制御領域長を求め、この場合、関連するサブフレーム１および６についてのみ示してある。ユーザ機器における他方のプロセスでは、ＣＦＩ値によって動的なＴＤＤ再構成が示されているか否かを判定し、対応する適切なＴＤＤ構成を適用する。当業者には、これら２つのプロセスは相互に関連していないため、並行して実行する、または任意の順序で実行できることが理解されるであろう。
【０１６５】
移動局は、サブフレームを１つずつ受信したとき、サブフレーム１におけるＰＣＦＩＣＨによって与えられるＣＦＩ値を求め、求めたＣＦＩ値が無効であるか否か（すなわち＝３であるか？）をチェックする。サブフレーム１におけるＣＦＩ値（ＣＦＩＳＦ１）が、１または２などの有効なＣＦＩ値である場合（分岐「いいえ」）、移動局は、そのサブフレーム１の制御チャネル領域長を、求めたＣＦＩＳＦ１値（すなわち１または２）に基づいて求める。これに対して、サブフレーム１におけるＣＦＩ値（ＣＦＩＳＦ１）が、無効なＣＦＩ値である場合（分岐「はい」）、移動局は、その無効なＣＦＩ値は通常のように制御チャネル領域長を示すことができないことに気付き、異なるパラメータを使用してサブフレーム１における制御チャネル領域長を求める。図１９のこの特定の例においては、移動局は、セルからのマスター情報ブロックから知ることのできるＰＨＩＣＨの最小長さに基づいて、制御チャネル領域長を求めるものと想定する。したがって、このパラメータは、接続が確立された時点で基地局および移動局の両方に知らされる。したがって、基地局ｅＮｏｄｅＢは、ＰＨＩＣＨに与えられる最小長さに基づいてサブフレームにおける制御チャネルを適切に送信することができ、ユーザ機器は、ＰＨＩＣＨの最小長さパラメータに基づいて制御チャネルを読み取って正しく処理することができる。
【０１６６】
サブフレーム６の処理についても、サブフレーム６におけるＣＦＩ値が無効であるか否か（すなわち３であるか否か）に応じて、基本的には同じである。したがって、「いいえ」の場合、ＣＦＩ値１または２を使用して、通常のようにサブフレーム６における制御チャネル領域長を求める。ＣＦＩ値３は、サブフレーム６における制御チャネル領域長を求める目的には無視する。この場合、ＰＨＩＣＨの最小長さが使用される。
【０１６７】
もう１つのプロセスによると、ユーザ機器は、サブフレーム１および６における２つのＣＦＩ値の少なくとも一方（すなわちＣＦＩＳＦ１またはＣＦＩＳＦ６）が無効な値（すなわち値３）を有するかをチェックする。ＣＦＩＳＦ１またはＣＦＩＳＦ６の少なくとも一方が値３を有する場合、ユーザ機器は、動的なＴＤＤ再構成が基地局によって意図的に示されたものと想定し、したがって、ＣＦＩＳＦ１およびＣＦＩＳＦ６に符号化されたＴＤＤ構成を求める。次いで、このようにして求めたＴＤＤ構成を適用する。ＣＦＩ値であるＣＦＩＳＦ１，ＣＦＩＳＦ６のいずれも値３を有さない場合、移動局は動的なＴＤＤ再構成を想定せずに、システム情報取得手順またはシステム情報変更手順を使用することによって設定されたデフォルトのＴＤＤ構成を引き続き使用する。
【０１６８】
移動局における上記のプロセスは、すべての無線フレームについて繰り返される。
【０１６９】
図１９の上の実施形態においては、ＣＦＩによって符号化された動的なＴＤＤ再構成を含む現在の無線フレームが無線フレームｎであると想定したとき、動的なＴＤＤ再構成は次の無線フレームｎ＋１に適用されるのみであるものと想定している。このことは、図２０にも示してある。したがって、無線フレームｎ＋２，ｎ＋３，…においては、例えば本発明に概説されているように別の構成が示されない限りは、デフォルトのＴＤＤ構成が使用される。
【０１７０】
しかしながら、これは一例にすぎない。より一般的には、ＣＦＩによって符号化される動的なＴＤＤ再構成は、無線フレームｎ＋ｍに適用することができ（ｍは１以上の整数である）、したがってこの動的なＴＤＤ再構成の適用の遅延が考慮される。あるいは、ＣＦＩによって符号化される動的なＴＤＤ再構成を、２つ以上の無線フレーム、すなわち無線フレームｎ＋１から無線フレームｎ＋ｍに、適用することもでき（ｍはこの場合には２以上の整数）、または遅延が含まれるように適用することもできる。このことは図２１に示してある。したがって、無線フレームｎ＋ｍ＋１，ｎ＋ｍ＋２，…においては、デフォルトのＴＤＤ構成が使用される。
【０１７１】
設定時間（configuration time）、すなわち動的なＴＤＤ構成が適用される無線フレームの数は、移動局および基地局においてあらかじめ設定しておくことができる（例えば、動的なＴＤＤ構成の指示情報を含む無線フレームの次の無線フレームのみ）。あるいは、設定時間を動的に、または半静的に、移動局に示すこともできる。このことは、例えばｍの値を定義する、無線フレームｎにおける別の第３のサブフレームのＣＦＩ値を使用することによって、行うことができる。したがって、例えば最大で４つの異なる設定時間をあらかじめ設定しておくことができ、必要に応じて示すことができる。あるいは、レガシーユーザ機器に対するマイナスの影響を回避するため、有効なＣＦＩ値のみ、すなわちＣＦＩ値１，２（または３）のみを使用して設定時間を示す。同じ考察は、後から説明する第２の実施形態および第３の実施形態にも適用される。
【０１７２】
図２０および図２１は、誤り耐性を高めるためのオプションの改善点も示している。具体的には、ＣＦＩによって符号化される動的なＴＤＤ再構成の指示情報を、複数の無線フレームにわたり反復することができる。言い換えれば、例えば、無線フレームｎおよびｎ＋１のサブフレームｉにおいて同じＣＦＩ値を示し、無線フレームｎおよびｎ＋１のサブフレームｊにおいて同じＣＦＩ値を示すことによって、同じＴＤＤ再構成を複数の無線フレームにわたり示す。当然ながら、誤り耐性をさらに高める目的で、３つ以上の無線フレームにわたって動的なＴＤＤ再構成を送信することができる。このような反復の場合においては、示されたＴＤＤ再構成が適用されるのは、繰り返される情報のうち最後の情報が受信される無線フレームの後である。ＴＤＤ再構成の指示情報を繰り返す無線フレームの数に関する情報は、一般には、移動局における動的なＴＤＤ構成の検出を可能にする前に知らせる、またはシグナリングされる。同じ考察は、以下に説明する第２の実施形態および第３の実施形態にも適用される。
【０１７３】
第２の実施形態
【０１７４】
本発明の第２の実施形態は、上述した第１の実施形態とは異なる点として、動的なＴＤＤ再構成を符号化するために、２つのサブフレームにおける無効なＣＦＩ値を使用しない。言い換えれば、この目的のために有効なＣＦＩ値のみが使用されるのに対して、第１の実施形態では、少なくとも１つの無効なＣＦＩ値を使用することを想定していた。
【０１７５】
図２２および図２３には、この第２の実施形態における利用可能なＴＤＤ符号点が示されており、サブフレーム１，６における複数の異なる有効なＣＦＩ値が考慮されている一方で、サブフレーム０，２，３，４，５，７，８，９における複数の異なる有効なＣＦＩ値が考慮されている。より詳細には、サブフレーム１および６が、ＣＦＩによって符号化される動的なＴＤＤ再構成の指示情報を伝えるものと想定するときには、ＣＦＩ値１および２は有効であるが、ＣＦＩ値３は無効である。値４はすべてのサブフレームにおいて無効であり、したがってこの第２の実施形態においては使用しない。これにより、図２２に示したように、４つの利用可能な符号点が得られる。
【０１７６】
残りのサブフレーム０，２，３，４，５，７，８，９においては、３つのＣＦＩ値１，２，３のそれぞれが有効である。したがって、図２３に示したように、利用可能なＴＤＤ符号点の総数は９個である。図には明示的に示していないが、サブフレーム１または６において１つのＣＦＩ値が使用され、サブフレーム０，２，３，４，５，７，８，９において１つのＣＦＩ値が使用されるものと想定すると、２×３＝６個の組合せまたは符号点が利用可能である。なお、図２３に関する機能の説明については、第３の実施形態に関連してさらに詳しく説明するため、以下の第２の実施形態の説明においては省いた。
【０１７７】
第１の実施形態と比較したときの１つの違いとして、移動局は、ＣＦＩによって符号化された動的なＴＤＤ再構成と、標準的な制御領域長の指示とを区別することができない。したがって、移動局は、ＣＦＩの組合せすべてが、自身が従うべきＴＤＤ構成を示しているものと想定しなければならない。したがって、移動局は、各無線フレームにおける２つのＣＦＩ値に基づいて制御チャネル領域長と動的なＴＤＤ構成とを求めなければならない。この状況は、図２５のユーザ機器の挙動の流れ図に示してある。
【０１７８】
ＴＤＤ構成を関連付けるために利用可能なＴＤＤ符号点は４つのみであり、図２４の表は、さまざまな可能な対応関係のうちの１つを示している（２つのＣＦＩはサブフレーム１および６において伝えられるものと想定する）。図２４の選択されたＴＤＤ構成と、ＴＤＤ符号点との特定の対応関係は、単なる例である。これらの４つのＴＤＤ構成とＴＤＤ符号点との間の任意の別の対応関係が可能である。さらには、ＴＤＤ構成を動的に変更するためＴＤＤ構成を移動局に示す目的に、合計で７つのＴＤＤ構成のうちの任意の４つを選択することができる。
【０１７９】
２つのＣＦＩ値によって構成されるＴＤＤ符号点にＴＤＤ構成を関連付けることにおいて達成できる改善点として、セル内で使用される可能性がおそらく最低であるＴＤＤ構成を符号点１／１に関連付けることである。符号点１／１では、基地局はそれらのサブフレームにおける制御チャネルを送信するのに１個のＯＦＤＭシンボルしか使用することができない。１個のＯＦＤＭシンボルでは十分でないとき、これは不利である。したがって、使用頻度が最も低いＴＤＤ構成をこの符号点１／１に関連付けることによって、基地局がそのサブフレームにおいてすべての制御データを送ることができない状況を回避することができる。
【０１８０】
デフォルトのＴＤＤ構成が使用され、定期的に示す必要があると想定すると、そのような定期的に使用される構成の指示情報が、同時に十分なＰＤＣＣＨ容量を提供する符号点によって表されるならば有利である。例えば、無線フレームのサブフレーム１または６においてＣＦＩ値が示される場合、ＣＦＩ値２は、最大の制御チャネル容量を提供する。それ以外のサブフレームにおいては、ＣＦＩ値３が最大の制御チャネル容量を提供する。したがって、両方のＣＦＩ値がサブフレーム１および６において送信される場合には、デフォルトのＴＤＤ構成が符号点２／２によって表されるならば好ましく、両方のＣＦＩ値が１および６以外のサブフレームにおいて送信される場合には、デフォルトのＴＤＤ構成が符号点３／３によって表されるならば好ましく、一方のＣＦＩ値がサブフレーム１または６において送信され、他方のＣＦＩが１および６以外のサブフレームにおいて送信される場合には、デフォルトのＴＤＤ構成が符号点２／３または３／２によって表されるならば好ましい。第１の実施形態に関連してすでに説明したように、使用頻度が最も低い動的なＴＤＤ構成は、デフォルトのＴＤＤ構成に依存しうる。デフォルトのＴＤＤ構成が、アップリンクの比率が高いものである場合、セル内のトラフィック状況に適合させるために極めて頻繁には使用されないＴＤＤ構成を示す目的に符号点１／１を使用することが好ましい。例えば、長期的な平均においてアップリンクの比率が高いトラフィックである場合、動的な再構成の必要はほとんどなく、したがって、どの構成が符号点１／１によって示されるかは重要ではない。長期的な平均においてバランスのとれたトラフィックである場合には、平均のアップリンク／ダウンリンク比がバランスのとれたものとなるように、アップリンクの比率が高いデフォルトの構成と、ダウンリンクの比率が極めて高い構成とを動的に使用して動作させれば十分である。この意味において、構成１などのバランスのとれたＴＤＤ構成は、定期的に使用する必要がなく、したがって符号点１／１に関連付けるための有力な候補である。デフォルトの構成が、アップリンクの比率が高いものであるにもかかわらず、長期的な平均においてダウンリンクの比率がかなり高いトラフィックである場合、動的な再構成を極めて頻繁に示す必要があり、構成４や構成５など、ダウンリンクの比率がかなり高い構成を示すべきである。この場合にも、バランスのとれたＴＤＤ構成は、セル内で使用される可能性が低いため、符号点１／１に適する候補である。同様の考察から、ダウンリンクの比率が高いデフォルトの構成の場合、バランスのとれた構成は定期的には要求されず、符号点１／１によって表すことが好ましい。バランスのとれたデフォルトの構成においては、利用可能な符号点は、アップリンクの比率が高い構成とダウンリンクの比率が高い構成とをバランスよく表すべきである。現在のシステムでは、ダウンリンクの比率が高い構成の方が多く定義されているため、ダウンリンクの比率が高い構成の１つが符号点１／１によって表されることは許容可能であり、レガシーユーザ機器に対するマイナスの影響が小さいように使用することのできる少なくとも２つの他の符号点が、非レガシーユーザ機器に、ダウンリンクの比率が高い構成を示す。あるＴＤＤ構成を符号点によって表すか否かが問題である場合にも、同じ考察が適用される。特定の構成を符号点によって示すことの重要性に関する考察を適用して、利用可能な符号点によって表す必要がない（または必要性が最低である）のはどの種類の構成かを判定することができる。例えば、デフォルトの構成が、アップリンクの比率が高い構成である、またはダウンリンクの比率が高い構成である場合、バランスのとれた構成はいずれの符号点によっても表されないままとすることができ、すなわちたとえ符号点１／１によっても表されないようにすることができ、したがって、符号点１／１は動的な再構成をまったく表さない。上述したように、符号点１／１によって表すのに最適な構成は、デフォルトの構成の特性に依存しうる。したがって、本発明のバリエーションにおいては、どのＴＤＤ構成が符号点１／１によって表されるかは、デフォルトのＴＤＤ構成に依存する。以下に説明する第２の実施形態および第３の実施形態においても、どのＴＤＤ構成が利用可能な符号点によって表す必要性が最大または最小であるか、またはどの符号点によって表すかを考慮するとき、同じ考察があてはまる。
【０１８１】
図２５に示したように、移動局は、求めたＴＤＤ構成を次の無線フレームｎ＋１に適用する。この状況は図２６にも示してあり、求めた特定のＴＤＤ構成に応じて、次の無線フレームが、現在の無線フレームの２つのサブフレームにおける対応するＣＦＩ値から求められる対応するＴＤＤ構成によって設定される。当然ながら、図２６に示した変更は一例である。ＴＤＤ構成の任意の変更を示すことができる。
【０１８２】
これに代えて、ＣＦＩによって符号化されている、求めた動的なＴＤＤ構成を、次の無線フレームｎ＋１に適用するのみならず、いくつかの無線フレームｎ＋１〜ｎ＋ｍに適用する（ｍは２以上の整数）。図２７は、ｍ＝２の場合を示している。具体的には、無線フレームｎ−２における、ＣＦＩによって符号化された動的なＴＤＤ構成の指示情報は、無線フレームｎ−２における２つのＣＦＩ値から求められた特定のＴＤＤ構成（図２７の例においては、ＴＤＤ構成インデックス２のＴＤＤ構成）が、無線フレームｎ−１およびｎに使用されることを、移動局に示す。図２７のこの特定のバリエーションにおいては、ユーザ機器は、無線フレームｎ−１における２つのサブフレームのＣＦＩ値を、ＴＤＤ構成を求めることに関しては無視して、これらのＣＦＩ値を、これら特定のサブフレームにおける制御チャネル領域長を求める目的にのみ使用することができる。
【０１８３】
第１の実施形態の場合と同様に、設定時間、すなわち動的なＴＤＤ構成が適用される無線フレームの数は、移動局および基地局においてあらかじめ設定しておくことができる（例えば、動的なＴＤＤ構成の指示情報を含む無線フレームの次の無線フレームのみ）。あるいは、設定時間を動的に、または半静的に、移動局に示すこともできる。このことは、例えばｍの値を定義する、無線フレームｎにおける別の第３のサブフレームｋのＣＦＩ値を使用することによって、行うことができる。
【０１８４】
第１の実施形態の場合と同様に、この第２の実施形態の１つの改善として、ＣＦＩによって符号化される動的なＴＤＤ再構成の指示情報を、ＴＤＤ再構成の指示情報が実際に適用される前に、複数の無線フレームにわたり反復する。例えば、無線フレームｎおよびｎ＋１のサブフレームｉにおいて同じＣＦＩ値が示され、無線フレームｎおよびｎ＋１のサブフレームｊにおいて同じＣＦＩ値が示される。当然ながら、誤り耐性をさらに高める目的で、動的なＴＤＤ再構成を、３つ以上の無線フレームにわたり送信することができる。このような反復の場合、示されたＴＤＤ再構成が適用されるのは、繰り返される情報のうち最後の情報が受信される無線フレームの後である。ＴＤＤ再構成の指示情報を繰り返す一連の無線フレームのうちの最初の無線フレームから最後の無線フレームまでにおいては、前に示されたＴＤＤ構成が適用される。ＴＤＤ再構成の指示情報を繰り返す無線フレームの数に関する対応する情報は、一般には、移動局における動的なＴＤＤ構成の検出を可能にする前に知らせる、またはシグナリングされる。同じ考察は、後から説明する第３の実施形態にも適用される。
【０１８５】
第２の実施形態のさらなる改善として、（システム情報取得手順やシステム情報変更手順を使用することにより）セル内で現在設定されているデフォルトのＴＤＤ構成を、利用可能な４つのＴＤＤ符号点のうちの１つに関連付け、例えば図２４に例示されているように、ＴＤＤ構成インデックス０のＴＤＤ構成をデフォルトのＴＤＤ構成として使用することによって、符号点１／１に関連付ける。動的なＴＤＤ再構成メカニズムを使用してデフォルトのＴＤＤ構成を示すことの主たる利点として、基地局は、必要な場合、セル内のすべての移動局（レガシーユーザ機器と、動的なＴＤＤメカニズムをサポートする新しいユーザ機器）を、同じＴＤＤ構成を使用して駆動することができる。そうでない場合、移動局は、ＣＦＩのすべての組合せ（すなわち無線フレームの２つのサブフレームｉ，ｊにおける２つのＣＦＩ値）を、ＣＦＩによって符号化される動的なＴＤＤ再構成の指示情報とみなすため、デフォルトのＴＤＤ構成を動的に示すことができない場合、レガシーユーザ機器と新しいユーザ機器はつねに異なるＴＤＤ構成を使用し、これによって生じるいくつかの欠点として、レガシーユーザ機器および新しいユーザ機器に起因する干渉と、レガシーユーザ機器および新しいユーザ機器に対する干渉や、前に概説したようにレガシーユーザ機器における測定に関連する潜在的な問題、さらにはこのような場合、レガシーユーザ機器および新しいユーザ機器によって受信されるべきブロードキャスト情報を１つのサブフレームにおいて送信することができない、またはそのようなサブフレームの選択肢が大幅に減少し（なぜなら、そのようなサブフレームは、ダウンリンク送信を含むサブフレームである必要がある、すなわちユーザ機器において「Ｄ」または「Ｓ」である必要があるためである）、これにより制約が課され、基地局のスケジューラや、各ブロードキャスト情報の送信時の送信効率が影響を受ける。
【０１８６】
しかしながら、このバリエーションにおいては、デフォルトのＴＤＤ構成以外のＴＤＤ構成に関連付けられるＴＤＤ符号点は、３つしか残らない。
【０１８７】
第１の実施形態に関連して前に詳しく説明したように、第１の実施形態と同様に、レガシーユーザ機器において発生する測定誤りを低減する目的で、ＴＤＤ構成インデックス０または６のいずれかのＴＤＤ構成をデフォルトのＴＤＤ構成として設定することが有利である。
【０１８８】
さらには、アップリンクの比率が高いデフォルトのＴＤＤ構成（０や６など）が使用される場合、第２の実施形態のさらなる改善として、残りのＴＤＤ符号点には、アップリンクとダウンリンクのバランスのとれたＴＤＤ構成と、ダウンリンクの比率の高いＴＤＤ構成とを関連付ける。これは、第１の実施形態の対応する改善に類似している。特に、利用可能な３つのＴＤＤ符号点を、ＴＤＤ構成１〜５のうちの対応する３つのＴＤＤ構成に関連付けるべきである。図２４、図２６、および図２７では、一例としてＴＤＤ構成２，４，５が選択されるものと想定している。
【０１８９】
第３の実施形態
【０１９０】
第１および第２の実施形態とは異なり、第３の実施形態によると、ＣＦＩ値が有効であるか否かは考慮されない。そうではなく、特定のサブフレームにおいてＣＦＩ値が有効であるか否かには関係なく、ＣＦＩによって符号化される動的なＴＤＤ再構成にＣＦＩ値１，２，３を使用する。したがって、図２８に示したように、７つのＴＤＤ構成に関連付ける目的に、９つのＴＤＤ符号点が利用可能である。ＣＦＩ値１，２，３，４を考慮すると、図１３に示したように１６個の符号点が利用可能である。示す必要のあるＴＤＤ構成が７つのみであることを考えて、第３の実施形態の以下の説明では、３つのＣＦＩ値１，２，３「のみ」を使用することに焦点を当てる。
【０１９１】
図２９は、７つのＴＤＤ構成と、２つのＣＦＩによって構成される９つのＴＤＤ符号点との間の例示的な対応関係を示している。図２９の対応関係は一例であり、当業者は、任意の別の可能な対応関係を選択することができる。
【０１９２】
第１および第２の実施形態と同様に、基地局は、無線フレームｎにおける２つのサブフレームの２つのＣＦＩ値を使用して、トラフィック状況に応じて動的なＴＤＤ再構成を示す。
【０１９３】
この実施形態においては、２つのサブフレームのＣＦＩの組合せは、各無線フレームの動的なＴＤＤ再構成を示し、なぜなら、ユーザ機器はＣＦＩ値のみから動的なＴＤＤ再構成を区別することができないためである。したがって、ユーザ機器は、ＣＦＩによって符号化されたＴＤＤ再構成の指示情報につねに従う必要がある。図３０はこの状況を示しており、各無線フレームｎ−２〜ｎ＋９には特定のＴＤＤ構成が示してあり、これらのＴＤＤ構成それぞれは、システムにおいて次の無線フレームのみに適用される。言い換えれば、無線フレームｎにおいて受信される「ＴＤＤ構成０」の指示情報は、無線フレームｎ＋１にのみ適用される。無線フレームｎ＋２には、無線フレームｎ＋１のＴＤＤ構成６が適用される。図３０は、動的なＴＤＤ再構成の単なる一例を示している。
【０１９４】
この第３の実施形態においては、第２の実施形態と同様に、２つの特定のサブフレームにおけるＣＦＩ値は、２つの異なる目的、すなわち、サブフレームにおける制御チャネル領域長を示す通常のＣＦＩの目的と、動的なＴＤＤ再構成の目的とに使用される。サブフレームにおけるＣＦＩの値が有効である場合、基地局は、そのＣＦＩ値に従って制御チャネル（すなわちＰＣＦＩＣＨ、ＰＨＩＣＨ、ＰＤＣＣＨ）を送信することができ、このＣＦＩ値は、ＴＤＤ構成を符号化する目的にも使用される。したがって、例えば基地局が符号点３／２（図２９の例においてはＴＤＤ構成６に対応する）のＴＤＤ構成を示したい場合、ＣＦＩ値３が無線フレームｎの第１のサブフレームｉ（すなわちｉ＝２）において送信され、ＣＦＩ値２が無線フレームｎの第２のサブフレームｊ（すなわちｊ＝７）において送信される。ＣＦＩ値３はサブフレーム２において有効なＣＦＩ値であるため、基地局は、このサブフレーム２のＰＣＦＩＣＨにおけるＣＦＩ値＝３に従って、サブフレーム２の最初の３個のＯＦＤＭシンボルにおいて制御チャネルを送信する。同じことがサブフレーム７およびＣＦＩ値２にもあてはまる。
【０１９５】
異なるケースとしてｉ＝１かつｊ＝６の場合、サブフレーム１においてＣＦＩ値３は無効である。したがって、基地局は、送信されるＣＦＩ値に従って制御チャネルを送信せずに、サブフレーム１における制御チャネル領域長の基準として、対応するＰＨＩＣＨパラメータによって示される最小長さを使用する。同様に、移動局はＣＦＩ値が無効であるかを判定し、無効である場合、ＰＨＩＣＨ最小長さパラメータを考慮して制御チャネル領域長を求め、したがって、このサブフレーム１における制御チャネルを正しく復号化することができる。
【０１９６】
図３１は、いま説明した例（すなわちサブフレームｉ＝１、サブフレームｊ＝６）の場合における、このユーザ機器の挙動を示している。図３１から明らかであるように、値が無効（すなわち＝３）であるか否かに応じて、移動局は、そのサブフレームの制御チャネル領域長を、ＣＦＩ値に基づいて、または最小ＰＨＩＣＨ長に基づいて求める。
【０１９７】
さらに、ＣＦＩ値が有効であるかには関係なく、移動局は、各無線フレームの２つのサブフレームにおける２つのＣＦＩ値から、動的なＴＤＤ構成をつねに求める。さらに、図３１においては、求めたＴＤＤ構成が次の無線フレームｎ＋１のみに適用されるものと想定している。
【０１９８】
この第３の実施形態のバリエーションにおいては、移動局は、無線フレームｎの２つのサブフレームにおける２つのＣＦＩ値から動的なＴＤＤ構成を求め、以降の無線フレームｎ＋１〜ｎ＋ｍにわたり、その動的なＴＤＤ構成を適用する。無線フレームｎ＋２〜ｎ＋ｍ−１においては、サブフレームｉおよびｊにおける２つのＣＦＩ値は、動的なＴＤＤ再構成を符号化する目的に使用されず、なぜなら、これらの無線フレームにおいては、前に示された動的なＴＤＤ構成が依然として有効であるためである。代わりに、これらの無線フレームｎ＋２〜ｎ＋ｍ−１のＣＦＩ値すべて（すなわちサブフレームｉ，ｊの２つのＣＦＩ値）は、標準規格のとおりに使用され、すなわち、サブフレームの制御チャネル領域長を示す目的に使用される。次いで、無線フレームｎ＋ｍには、そのサブフレームｉ，ｊのＣＦＩ値に符号化された次の動的なＴＤＤ再構成の指示情報が含まれる。
【０１９９】
この第３の実施形態のさらなるバリエーションにおいては、レガシーユーザ機器に対する、無効なＣＦＩ値の影響を最小にするため、ＣＦＩ符号点３／３を回避するべきである。このことは、第１および第２の実施形態に関連してすでに詳しく説明したため、さらなる詳細な説明は省く（対応する節を参照）。第３の実施形態においては、ＴＤＤ構成よりも多くの符号点が利用可能であるため、最低の使用頻度のＴＤＤ構成を符号点３／３に関連付ける必要はなく、単に符号点３／３にはいずれのＴＤＤ構成も関連付けない。結果として、符号点３／３はシステムにおいて使用されず、したがって、レガシーユーザ機器に対する最も重大な影響が回避される。このことは、図２９の一例の表にも示されており、この表では、符号点３／３にはＴＤＤ構成が関連付けられていない。同様に、この例では符号点２／３も予約されており、なぜなら、サブフレーム６はサブフレーム１とは異なりフル「Ｄ」サブフレーム（full “D” subframe）であり得るためである。
【０２００】
第２の実施形態の場合と同様に、この第３の実施形態の１つの改善として、ＣＦＩによって符号化される動的なＴＤＤ再構成の指示情報を、ＴＤＤ再構成の指示情報が実際に適用される前に、複数の無線フレームにわたって反復する。例えば、無線フレームｎおよびｎ＋１のサブフレームｉにおいて同じＣＦＩ値が示され、無線フレームｎおよびｎ＋１のサブフレームｊにおいて同じＣＦＩ値が示される。当然ながら、誤り耐性をさらに高める目的で、３つ以上の無線フレームにわたって、動的なＴＤＤ再構成を送信することができる。このような反復の場合、示されたＴＤＤ再構成が適用されるのは、繰り返される情報のうち最後の情報が受信される無線フレームの後である。ＴＤＤ再構成の指示情報を繰り返す一連の無線フレームのうち最初の無線フレームから最後の無線フレームまでにおいては、前に示されたＴＤＤ構成が適用される。ＴＤＤ再構成の指示情報を繰り返す無線フレームの数に関する対応する情報は、一般には、移動局における動的なＴＤＤ構成の検出を可能にする前に知らせる、またはシグナリングされる。
【０２０１】
ここまでの３つの実施形態およびそれらのバリエーションによる本発明は、実施形態に関する上の説明全体を通じてすでに述べたように、いくつかの利点を有する。第一に、迅速かつ動的なＴＤＤ再構成が実施される。さらには、この点において新規の信号やチャネルを使用しない。レガシーユーザ機器に対する影響は、１０個のサブフレームのうち２つ（ｉ，ｊ）に厳密に限定される。さらには、それら２つのサブフレームにおいても、上述したメカニズムによって、レガシーユーザ機器に対する影響を最小にすることができる。
【０２０２】
無線フレームにおけるサブフレーム１および６を使用することが、すでに前述したように特に有利である。サブフレーム１はつねに特殊サブフレームであり、すなわち、ダウンリンク容量が通常のダウンリンクサブフレームよりもつねに小さい。サブフレーム６は、７つの可能なＴＤＤ構成のうち４つ（０，１，２，６）においては特殊サブフレームであり、これら４つのＴＤＤ構成０，１，２，６におけるサブフレーム６のダウンリンク容量は、通常のダウンリンクサブフレームよりも小さい。具体的には、これらのサブフレーム１および６における制御チャネル領域は、１個または２個のみのＯＦＤＭシンボル長であり、したがってこれらのサブフレームにおいてはＰＤＣＣＨ容量がつねに制限される。
【０２０３】
さらなる最適化
【０２０４】
以下では、ここまでの実施形態のいずれとも組み合わせることのできるさらなる最適化について説明する。この最適化は、２つのＣＦＩによって提供される符号点とＴＤＤ構成との間の特定の対応関係に関する。一般的には、ＨＡＲＱフィードバックのタイミングは、サブフレームがダウンリンクサブフレームかアップリンクサブフレームかに依存する。例えば、非特許文献９の１０.１.３節および下位節には、ＰＤＳＣＨにおけるダウンリンク共有チャネルの送信と、送信されたトランスポートブロックの受信の成功または失敗に対応するＡＣＫまたはＮＡＣＫのフィードバックをユーザ機器が送信することが予期されるタイミングとの間の関係が定義されている。定義によると、このようなフィードバックは、アップリンクリソースでのみ送信することができる。なお、リリース１１までの３ＧＰＰ  ＬＴＥ仕様では、いくらかのアップリンクリソースが特殊サブフレームにおいて利用可能であっても、ＰＵＣＣＨベースのＡＣＫ／ＮＡＣＫフィードバックを特殊サブフレームにおいて送信することはできない。ユーザ機器においてＡＣＫ／ＮＡＣＫフィードバックを決定し、対応するフィードバックを適切なタイミングで送信するためには、ユーザ機器が、このようなフィードバックの送信に利用可能なアップリンクリソースを有するサブフレームを事前に認識していることが好ましい。これにより、ユーザ機器側における処理タイミングに関する要件が単純化され、したがって、より費用効果の高い実装が可能となる。
【０２０５】
前述したように、特定のサブフレームがダウンリンクサブフレームであるかアップリンクサブフレームであるかは、システムにおいて使用されている現在のＴＤＤ構成に依存する。図３２は、図９においてすでに説明した、現時点で定義されているＴＤＤ構成を示しており、さらに、特定のＴＤＤ構成には無関係である（「インデックスに依存しない」）、ダウンリンクまたはアップリンクであるサブフレームを示している。理解できるように、サブフレーム０〜２のアップリンク／ダウンリンク構成は、つねに「ＤＳＵ」（ダウンリンク−特殊−アップリンク）となる。サブフレーム５はつねにダウンリンクサブフレームである。
【０２０６】
これに対して、サブフレーム３，４においては、アップリンク／ダウンリンク構成は、「ＵＵ」、「ＵＤ」、または「ＤＤ」となる。同じことは、サブフレーム７，８，９の組合せにもあてはまる。サブフレーム６，７においては、ＴＤＤ構成は、「ＳＵ」、「ＤＤ」、および「ＳＵ」となる。
【０２０７】
次の無線フレームのサブフレーム３および４が、「ＵＵ」、「ＵＤ」、または「ＤＤ」であるかをできるだけ早く知る目的で、本実施形態では、次の無線フレームのサブフレーム３および４のアップリンク／ダウンリンクのタイプが、サブフレームｉにおける最初のＣＦＩ値のみによってすでに決まる対応関係を提案する。言い換えれば、移動端末は、無線フレームｎの最初のサブフレームｉ（ＣＦＩによって符号化される動的なＴＤＤ再構成の指示情報を伝える２つのサブフレームのうちの最初のサブフレーム）（例：サブフレーム１）における最初のＣＦＩ値を求めることによって、サブフレーム３および４がアップリンクサブフレームまたはダウンリンクサブフレームであるかを明確に求めることができる。実際には、サブフレーム０，１，２，５も固定されているため、最初のＣＦＩＳＦ１は、次の無線フレームのサブフレーム０〜５のアップリンク／ダウンリンク構成を決めることができる。
【０２０８】
このことは、ＣＦＩによって符号化される動的なＴＤＤ再構成の指示情報の最初のＣＦＩ値について、図３３の表に例示的に示してある。図から理解できるように、ＣＦＩＳＦｊ（すなわち２つのサブフレームのうちの二番目）の値には関係なく、ＣＦＩＳＦｉ＝１の場合、サブフレーム３および４の両方がアップリンクサブフレームである。ＣＦＩＳＦｉ＝２の場合、サブフレーム３および４のアップリンク／ダウンリンク定義は「ＵＤ」であり、ＣＦＩＳＦｉ＝３の場合、サブフレーム３および４のアップリンク／ダウンリンク定義は「ＤＤ」である。
【０２０９】
同様に、二番目のサブフレームｊにおいて伝えられる、ＣＦＩによって符号化されるＴＤＤ再構成の指示情報の二番目のＣＦＩ値は、次の無線フレームｎ＋１のサブフレーム６および７と、サブフレーム８および９の一部とを決める。図３４に示したように、最初のＣＦＩ値（ＣＦＩＳＦｉ）の値には関係なく、ＣＦＩＳＦｊ＝１および＝３の場合、サブフレーム６および７のＴＤＤ構成は「ＳＵ」である。ＣＦＩＳＦｊ＝２の場合、サブフレーム６および７のＴＤＤ構成は「ＤＤ」である。さらには、ＣＦＩＳＦｊ＝２の場合、サブフレーム８および９のＴＤＤ構成は「ＤＤ」であり、ＣＦＩＳＦｊ＝３の場合、サブフレーム８および９のＴＤＤ構成は「ＵＤ」である。しかしながら、ＣＦＩＳＦｊ＝１の場合、サブフレーム８および９のＴＤＤ構成は決まらず（図３４を参照）、最初のＣＦＩ値（ＣＦＩＳＦｉ）との組合せにおいて指定しなければならない。この特定の場合について、図３５は、サブフレーム８および９のＴＤＤ構成を２つのＣＦＩ値（ＣＦＩＳＦｉおよびＣＦＩＳＦｊ）によってどのように協働して示すことができるかを表に示している。図３６は、図３３、図３４、および図３５の表に示されている対応関係の組合せとして、一例による、利用可能なＣＦＩ符号点とＴＤＤ構成のマッピングを示している。
【０２１０】
さらには、たとえ一方のＣＦＩ値が消失する、または誤って受信された場合でも、１０個のサブフレームのうち６〜８個のサブフレームのＴＤＤ構成は正しく求めることができる。このことは、ユーザ機器が、（Ｅ）−ＰＤＣＣＨ、ＣＲＳ、ＣＳＩ−ＲＳを正しく読み取るためと、スプリアスアップリンク送信を制限するため（すなわちアップリンク干渉を回避するため）に、特に重要である。
【０２１１】
図３６に示した例においては、切替え点周期性は、二番目のＣＦＩ値（ＣＦＩＳＦｊ＝２）に明確に関連しており、したがって、正しい解釈は、最初のＣＦＩ値を正しく受信することに依存しない。
【０２１２】
このさらなる最適化は、上に概説したように第３の実施形態に適用できるのみならず、それ以外の実施形態にも適用できる。例えば、第２の実施形態においては、サブフレームｉにおける同じ最初のＣＦＩ値に対応するＴＤＤ構成が、サブフレーム３またはサブフレーム３および４における同じＵまたはＤのパターンを共有するならば有利である。さらには、サブフレームｊにおける同じ二番目のＣＦＩ値に対応するＴＤＤ構成が、サブフレーム６またはサブフレーム６および７における同じＵまたはＤのパターンを共有するならば有利である。別の例として、第１の実施形態においては、サブフレームｉにおける少なくとも１つのＣＦＩ値（例えば無効なＣＦＩ値）に対応するＴＤＤ構成が、サブフレーム３またはサブフレーム３および４における同じＵまたはＤのパターンを共有するならば有利である。さらには、サブフレームｊにおける少なくとも１つのＣＦＩ値（例えば無効なＣＦＩ値）に対応するＴＤＤ構成が、サブフレーム６またはサブフレーム６および７における同じＵまたはＤのパターンを共有するならば有利である。
【０２１３】
本発明のハードウェアおよびソフトウェア実装
【０２１４】
本発明の他の実施形態は、ハードウェアおよびソフトウェアを用いて、上記したさまざまな実施形態を実施することに関する。これに関連して、本発明は、ユーザ機器（移動端末）およびｅＮｏｄｅＢ（基地局）を提供する。ユーザ機器は、本発明の方法を実行するようにされている。
【０２１５】
本発明のさまざまな実施形態は、コンピューティングデバイス（プロセッサ）を使用して実施または実行され得るものとさらに認識される。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、または、その他プログラマブルロジックデバイスなどである。本発明のさまざまな実施形態は、これらのデバイスの組合せによっても実行または具体化され得る。
【０２１６】
さらに、本発明のさまざまな実施形態は、ソフトウェアモジュールによっても実施され得る。これらのソフトウェアモジュールは、プロセッサによって実行され、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納され得る。
【０２１７】
さらには、本発明の複数の異なる実施形態の個々の特徴は、個々に、または任意の組合せにおいて、別の本発明の主題とすることができることに留意されたい。
【０２１８】
具体的な実施形態に示した本発明には、広義に記載されている本発明の概念または範囲から逸脱することなく、さまざまな変更もしくは修正またはその両方を行うことができることが、当業者には理解されるであろう。したがって、本明細書に示した実施形態は、あらゆる点において例示的であり、本発明を制限するものではないものとみなされる。
【図１】
2015536591.tif 000008
【図２】
2015536591.tif 000009
【図５】
2015536591.tif 000010
【図６】
2015536591.tif 000011
【図７】
2015536591.tif 000012
【図８】
2015536591.tif 000013
【図９】
2015536591.tif 000014
【図１０】
2015536591.tif 000015
【図１１】
2015536591.tif 000016
【図１２】
2015536591.tif 000017
【図１３】
2015536591.tif 000018
【図１４】
2015536591.tif 000019
【図１５】
2015536591.tif 000020
【図１６】
2015536591.tif 000021
【図１７】
2015536591.tif 000022
【図１８】
2015536591.tif 000023
【図１９】
2015536591.tif 000024
【図２０】
2015536591.tif 000025
【図２１】
2015536591.tif 000026
【図２２】
2015536591.tif 000027
【図２３】
2015536591.tif 000028
【図２４】
2015536591.tif 000029
【図２５】
2015536591.tif 000030
【図２６】
2015536591.tif 000031
【図２７】
2015536591.tif 000032
【図２８】
2015536591.tif 000033
【図２９】
2015536591.tif 000034
【図３０】
2015536591.tif 000035
【図３１】
2015536591.tif 000036
【図３２】
2015536591.tif 000037
【図３３】
2015536591.tif 000038
【図３４】
2015536591.tif 000039
【図３５】
2015536591.tif 000040
【図３６】
2015536591.tif 000041
【図３】
2015536591.tif 000042
【図４】
2015536591.tif 000043
【国際調査報告】
2015536591.tif 000044
2015536591.tif 000045
2015536591.tif 000046